(57)【要約】【課題】前面と背面などに２つの表示パネル部を設けるようにした場合に、動作状態の遷移に応じて、各表示パネルで適切な表示を実現する。【解決手段】撮像装置の動作期間として、モニタリング期間と記録期間とプレビュー期間との遷移が行われる際に、上記各動作期間毎に、装置筐体上で使用者方向に向かって表示を行うようにされた主表示パネルと、装置筐体上で被写体方向に向かって表示を行うようにされた前面表示パネルの表示状態を制御するとともに、少なくとも一以上の動作期間において各表示パネルが異なる表示内容となり得る表示制御を行う。【選択図】図７
2011091869.tif 000002
【特許請求の範囲】
【請求項１】
装置筐体上で使用者方向に向かって表示を行う第１表示パネル部と、
装置筐体上で被写体方向に向かって表示を行う第２表示パネル部と、
上記被写体方向からの入射光を光電変換し、撮像画像信号を得る撮像処理部と、
上記撮像処理部で得られた撮像画像信号についての記録媒体への記録処理を行う記録処理部と、
上記撮像処理部又は上記記録処理部の動作を伴う互いに遷移する複数種の各種の動作期間として、上記撮像処理部で得られた撮像画像信号を上記記録処理部で記録処理を行わずにモニタリング表示するモニタリング期間と、上記撮像処理部で得られた撮像画像信号を上記記録処理部で静止画データとして記録処理する記録期間と、上記記録期間の記録処理に係る静止画データを表示するプレビュー期間毎に、上記第１表示パネル部と上記第２表示パネル部の表示状態を制御するとともに、上記プレビュー期間での、上記記録処理部での記録処理に係る静止画データの表示を、上記第２表示パネル部において上記第１表示パネル部より長時間実行させることで、少なくとも一の動作期間において上記第１表示パネル部と上記第２表示パネル部が異なる表示内容となる表示制御を行う制御部と、
を備えた撮像装置。
【請求項２】
上記制御部は、上記プレビュー期間において、上記記録処理部での記録処理に係る静止画データの表示を、上記第２表示パネル部のみで実行させることで、該表示が上記第２表示パネル部において、上記第１表示パネル部より長時間実行されるように制御する請求項１に記載の撮像装置。
【請求項３】
上記制御部は、上記プレビュー期間において、上記記録処理部での記録処理に係る静止画データの表示を、上記第１表示パネル部と上記第２表示パネル部の両方で実行させるとともに、上記第１表示パネル部での上記表示を先に終了させることで、上記第２表示パネル部では上記第１表示パネル部より長時間、上記静止画データの表示を実行させるように制御する請求項１に記載の撮像装置。
【請求項４】
上記制御部は、上記モニタリング期間において、上記撮像処理部で得られた撮像画像信号を上記第１表示パネル部においてモニタリング画像として表示させるとともに、上記第２表示パネルに対する視認可能性条件の判別処理結果に基づいて、上記第２表示パネル部における上記モニタリング画像の表示の実行／不実行を制御する請求項１に記載の撮像装置。
【請求項５】
上記視認可能性条件の判別処理は、被写体方向における人物の存在の判別処理、又は撮像モードの判別処理、又は内部検出情報についての判別処理、又は撮像画像信号の画像解析処理結果についての判別処理である請求項４に記載の撮像装置。
【請求項６】
上記制御部は、上記モニタリング期間において、上記撮像処理部で得られた撮像画像信号を上記第１表示パネル部においてモニタリング画像として表示させるとともに、上記第２表示パネルでは上記モニタリング画像の表示を実行させないように制御する請求項１に記載の撮像装置。
【請求項７】
上記制御部は、上記記録期間において、上記記録処理部での記録処理に係る静止画データの表示を、上記第１表示パネル部と上記第２表示パネル部のうちの一方のみで実行させるように制御する請求項１に記載の撮像装置。
【請求項８】
上記制御部は、上記記録期間において、上記記録処理部での記録処理に係る静止画データの表示を、上記第１表示パネル部と上記第２表示パネル部の両方で実行させる、又は両方で実行させないように制御する請求項１に記載の撮像装置。
【請求項９】
上記動作期間の１つとして、さらに、記録媒体に記録された画像データを再生表示する再生期間を有し、
上記制御部は、上記再生期間において、上記再生表示を、上記第１表示パネル部と上記第２表示パネル部のうちの一方のみで実行させるように制御する請求項１に記載の撮像装置。
【請求項１０】
上記動作期間の１つとして、さらに、記録媒体に記録された画像データを再生表示する再生期間を有し、
上記制御部は、上記再生期間において、上記第１表示パネル部において上記再生表示を実行させるとともに、上記第２表示パネルに対する視認可能性条件の判別処理結果に基づいて、上記第２表示パネル部における上記再生表示の実行／不実行を制御する請求項１に記載の撮像装置。
【請求項１１】
上記動作期間の１つとして、さらに、記録媒体に記録された画像データを再生表示する再生期間を有し、
上記制御部は、上記再生期間において、上記第１表示パネル部において上記再生表示としての一覧表示及び一画像表示を選択的に実行させるとともに、上記第２表示パネルにおいては、一画像表示のみを実行させるように制御する請求項１に記載の撮像装置。
【請求項１２】
上記動作期間の１つとして、さらに、撮像処理部で得られた撮像画像信号を上記記録処理部で動画データとして記録処理していく動画記録期間を有し、
上記制御部は、上記動画記録期間において、上記第１表示パネル部において上記記録処理に係る動画表示を実行させるとともに、上記第２表示パネルに対する視認可能性条件の判別処理結果に基づいて、上記第２表示パネル部における上記動画表示の実行／不実行を制御する請求項１に記載の撮像装置。
【請求項１３】
撮像装置の動作期間として、少なくとも、
撮像処理によって得られた撮像画像信号を、記録処理を行わずにモニタリング表示するモニタリング期間と、
上記撮像処理で得られた撮像画像信号を静止画データとして記録処理する記録期間と、
上記記録処理に係る静止画データを表示するプレビュー期間とを有するとともに、
上記各動作期間毎に、装置筐体上で使用者方向に向かって表示を行うようにされた第１表示パネル部と、装置筐体上で被写体方向に向かって表示を行うようにされた第２表示パネル部の表示状態を制御し、上記プレビュー期間での、上記記録処理部での記録処理に係る静止画データの表示を、上記第２表示パネル部において上記第１表示パネル部より長時間実行させることで、少なくとも一以上の動作期間において上記第１表示パネル部と上記第２表示パネル部が異なる表示内容となる表示制御を行う撮像装置の表示制御方法。
【発明の詳細な説明】
【技術分野】
【０００１】
本発明は、撮像装置と、その表示制御方法に関し、特に筐体上に複数の表示パネル部を設けた撮像装置の表示動作に関するものである。
【先行技術文献】
【特許文献】
【０００２】
【特許文献１】特開２００７−１５８７９９号公報
【背景技術】
【０００３】
デジタルスチルカメラやデジタルビデオカメラ等の撮像装置が普及しており、多くの撮像装置では、例えば液晶パネルなどによる表示パネル部が形成されている。
例えば上記特許文献１に示されているようにカメラ筐体上に比較的大きな面積で表示パネルが設けられ、撮像時には被写体画像のモニタリングが行われたり、撮像した画像の再生時には、再生表示が行われるようになされている。
【発明の概要】
【発明が解決しようとする課題】
【０００４】
ここで本出願人は、撮像装置において筐体上に２つの表示パネル部を設けることを新規に考える。
即ち従来と同様、撮像装置筐体上で使用者（撮像者）方向に向かって表示を行うようにされた表示パネル部を設ける他、装置筐体上の前面側（被写体側となる面）などに、被写体方向に向かって表示を行うようにされた表示パネル部を設ける。
このように２つの表示パネル部を設けるようにした場合には、撮像に関する動作状態や状況に応じて、各表示パネルで適切な表示、即ち、２つの表示パネルを効果的に利用する表示や、表示を見る人にとって有用な表示、さらには無駄な消費電力を回避するような表示動作を実現することが求められる。
そこで本発明では、２つの表示パネル部を有する撮像装置において適切な表示を実現することを目的とする。
【課題を解決するための手段】
【０００５】
本発明の撮像装置は、装置筐体上で使用者方向に向かって表示を行う第１表示パネル部と、装置筐体上で被写体方向に向かって表示を行う第２表示パネル部と、上記被写体方向からの入射光を光電変換し、撮像画像信号を得る撮像処理部と、上記撮像処理部で得られた撮像画像信号についての記録媒体への記録処理を行う記録処理部と、上記撮像処理部又は上記記録処理部の動作を伴う互いに遷移する複数種の各種の動作期間として、上記撮像処理部で得られた撮像画像信号を上記記録処理部で記録処理を行わずにモニタリング表示するモニタリング期間と、上記撮像処理部で得られた撮像画像信号を上記記録処理部で静止画データとして記録処理する記録期間と、上記記録期間の記録処理に係る静止画データを表示するプレビュー期間毎に、上記第１表示パネル部と上記第２表示パネル部の表示状態を制御するとともに、上記プレビュー期間での、上記記録処理部での記録処理に係る静止画データの表示を、上記第２表示パネル部において上記第１表示パネル部より長時間実行させることで、少なくとも一の動作期間において上記第１表示パネル部と上記第２表示パネル部が異なる表示内容となる表示制御を行う制御部とを備える。
【０００６】
例えば上記制御部は、上記プレビュー期間において、上記記録処理部での記録処理に係る静止画データの表示を、上記第２表示パネル部のみで実行させることで、該表示が上記第２表示パネル部において、上記第１表示パネル部より長時間実行されるように制御する。
或いは、上記制御部は、上記プレビュー期間において、上記記録処理部での記録処理に係る静止画データの表示を、上記第１表示パネル部と上記第２表示パネル部の両方で実行させるとともに、上記第１表示パネル部での上記表示を先に終了させることで、上記第２表示パネル部では上記第１表示パネル部より長時間、上記静止画データの表示を実行させるように制御する。
【０００７】
上記制御部は、上記モニタリング期間において、上記撮像処理部で得られた撮像画像信号を上記第１表示パネル部においてモニタリング画像として表示させるとともに、上記第２表示パネルに対する視認可能性条件の判別処理結果に基づいて、上記第２表示パネル部における上記モニタリング画像の表示の実行／不実行を制御する。
この場合、上記視認可能性条件の判別処理は、被写体方向における人物の存在の判別処理、又は撮像モードの判別処理、又は内部検出情報についての判別処理、又は撮像画像信号の画像解析処理結果についての判別処理であるとする。
又は、上記制御部は、上記モニタリング期間において、上記撮像処理部で得られた撮像画像信号を上記第１表示パネル部においてモニタリング画像として表示させるとともに、上記第２表示パネルでは上記モニタリング画像の表示を実行させないように制御する。
【０００８】
また上記制御部は、上記記録期間において、上記記録処理部での記録処理に係る静止画データの表示を、上記第１表示パネル部と上記第２表示パネル部のうちの一方のみで実行させるように制御する。
或いは、上記制御部は、上記記録期間において、上記記録処理部での記録処理に係る静止画データの表示を、上記第１表示パネル部と上記第２表示パネル部の両方で実行させる、又は両方で実行させないように制御する。
【０００９】
また上記動作期間の１つとして、さらに、記録媒体に記録された画像データを再生表示する再生期間を有し、上記制御部は、上記再生期間において、上記再生表示を、上記第１表示パネル部と上記第２表示パネル部のうちの一方のみで実行させるように制御する。
或いは、上記制御部は、上記再生期間において、上記第１表示パネル部において上記再生表示を実行させるとともに、上記第２表示パネルに対する視認可能性条件の判別処理結果に基づいて、上記第２表示パネル部における上記再生表示の実行／不実行を制御する。
或いは、上記制御部は、上記再生期間において、上記第１表示パネル部において上記再生表示としての一覧表示及び一画像表示を選択的に実行させるとともに、上記第２表示パネルにおいては、一画像表示のみを実行させるように制御する。
また上記動作期間の１つとして、さらに、撮像処理部で得られた撮像画像信号を上記記録処理部で動画データとして記録処理していく動画記録期間を有し、上記制御部は、上記動画記録期間において、上記第１表示パネル部において上記記録処理に係る動画表示を実行させるとともに、上記第２表示パネルに対する視認可能性条件の判別処理結果に基づいて、上記第２表示パネル部における上記動画表示の実行／不実行を制御する。
【００１０】
本発明の撮像装置の表示制御方法は、撮像装置の動作期間として、少なくとも、撮像処理によって得られた撮像画像信号を、記録処理を行わずにモニタリング表示するモニタリング期間と、上記撮像処理で得られた撮像画像信号を静止画データとして記録処理する記録期間と、上記記録処理に係る静止画データを表示するプレビュー期間とを有する。そして、上記各動作期間毎に、装置筐体上で使用者方向に向かって表示を行うようにされた第１表示パネル部と、装置筐体上で被写体方向に向かって表示を行うようにされた第２表示パネル部の表示状態を制御し、上記プレビュー期間での、上記記録処理部での記録処理に係る静止画データの表示を、上記第２表示パネル部において上記第１表示パネル部より長時間実行させることで、少なくとも一以上の動作期間において上記第１表示パネル部と上記第２表示パネル部が異なる表示内容となる表示制御を行う。
【００１１】
即ち本発明では、撮像装置の動作の過程で遷移する各種動作期間毎に、それぞれ第１表示パネル部と第２表示パネル部の表示状態を制御する。特には、少なくとも一以上の動作期間において第１表示パネル部と第２表示パネル部が異なる表示内容となり得る表示制御を行う。異なる表示内容とは、異なる画像が表示されている状態や、一方が表示オフとされていることをいうものとしている。また異なる表示内容になり得るというのは、例えば視認可能性条件の判断の結果によっては異なる表示内容となることをいう。
そしてこのような制御により、各動作期間毎に、各表示パネル部で適切な表示、有用な表示、無駄な表示の回避等を実現する。
例えばモニタリング期間、静止画の記録期間、プレビュー期間、再生期間、動画記録期間などを遷移する際に、それぞれ、表示の目的や表示を見る人の存在などに応じて表示状態を制御する。
【００１２】
例えば第２表示パネル部については、モニタリング期間等では被写体方向に人物が存在する可能性を判定して表示制御を行うようにする。
例えば静止画撮像の際のモニタリング期間（静止画撮像のためのシャッタタイミングを狙っているとき）には、撮像装置の使用者（つまり撮像装置により静止画撮像を行おうとしている撮像者）は、第１表示パネル部で、被写体画像のモニタリングを行う。このモニタリング画像は、その期間に撮像素子部で得られる撮像画像信号であり、スルー画とも呼ばれる、被写体光景のリアルタイムの動画像である。撮像者は、これによって撮像される被写体画像を確認し、所望のタイミングでレリーズ操作（シャッタ操作）を行う。これは通常の撮像装置と同様である。
このモニタリング期間には、第２表示パネル部でも撮像画像信号に基づく表示、即ちスルー画としてのモニタリング画像を表示すると好適である。例えば被写体が人物である場合、その人物が、第２表示パネル部の表示を見て、撮されようとしている自分の表情やポーズなどを確認できるからである。
ところが、これはあくまで、被写体側に人物が居るときのみ有用となる。例えば撮像者が撮像モードとして風景モードを選択し、人のいない風景を撮像しようとしているときには、第２表示パネル部の表示を見る人物は存在しないと考えられる。従って、そのようなときに第２表示パネル部にモニタリング画像を表示しても意味がないことになる。そこで第２表示パネル部をオフにして省電を図ることが適切である。
このように、そのときの動作期間に応じて、第１、第２表示パネル部の表示動作を適切に制御することで、２つの表示パネル部による有用な表示や娯楽性の高い表示、或いは２つの表示パネル部を装備してもむやみに消費電力が高くならないようにすること等を実現できる。
【発明の効果】
【００１３】
本発明によれば、撮像装置において、使用者側と被写体側でそれぞれ視認できる２つの表示パネル部を設けるようにするとともに、動作期間毎に各表示パネルで適切な表示を行うことができる。即ち２つの表示パネル部を有効利用した有用な表示、娯楽性の高い表示、さらには無駄な表示の回避などを実現でき、新規で有用な撮像装置を提供できる。
特に被写体側の人物の存在の有無や表示についての視認性の良否を推定して第２表示パネル部の表示動作を制御することも、上記効果を促進する。
【図面の簡単な説明】
【００１４】
【図１】本発明の実施の形態の撮像装置の外観例の説明図である。
【図２】実施の形態の撮像装置のブロック図である。
【図３】実施の形態の撮像装置の動作遷移の説明図である。
【図４】実施の形態の撮像装置の画像表示例の説明図である。
【図５】実施の形態の撮像装置の画像表示例の説明図である。
【図６】実施の形態の各動作期間の遷移を行う制御処理例のフローチャートである。
【図７】実施の形態のモニタリング期間の処理例のフローチャートである。
【図８】実施の形態の記録期間の処理例のフローチャートである。
【図９】実施の形態の記録期間の処理例のフローチャートである。
【図１０】実施の形態のプレビュー期間の処理例のフローチャートである。
【図１１】実施の形態のプレビュー期間の処理例のフローチャートである。
【図１２】実施の形態のプレビュー期間の処理例のフローチャートである。
【図１３】実施の形態のプレビュー期間の処理例のフローチャートである。
【図１４】実施の形態の再生期間の処理例のフローチャートである。
【図１５】実施の形態の再生期間の処理例のフローチャートである。
【図１６】実施の形態の動画記録期間を含む制御処理例のフローチャートである。
【図１７】実施の形態の動画記録期間の処理例のフローチャートである。
【図１８】実施の形態の表示状態の遷移の例の説明図である。
【図１９】実施の形態の表示状態の遷移の例の説明図である。
【発明を実施するための形態】
【００１５】
以下、本発明の実施の形態について、次の順序で説明していく。
［１．撮像装置の構成］
［２．動作遷移］
［３．両表示パネル部の画面表示例］
［４．表示制御例］
＜４−１：動作期間遷移を行う処理例＞
＜４−２：モニタリング期間の処理例＞
＜４−３：記録期間の処理例＞
＜４−４：プレビュー期間の処理例＞
＜４−５：再生期間の処理例＞
＜４−６：動画記録期間の処理例＞
［５．表示状態の遷移例］
［６．変形例］
【００１６】
［１．撮像装置の構成］
本発明の実施の形態として、例えばデジタルスチルカメラとしての撮像装置の構成を図１，図２で説明する。
【００１７】
図１（ａ）（ｂ）は、本例の撮像装置１を背面側（使用者側）及び前面側（被写体側）から見た外観例を示している。
撮像装置１には、前面側に撮像レンズ部２０、フラッシュ発光部１５などが設けられる。
また、筐体上面や背面側などの各所にユーザ操作のための操作子が形成される。例えばレリーズ操作キー５ａ、ダイヤル操作部５ｂ、ワイド／テレ操作キー５ｃ、各種操作キー５ｄ、十字キー５ｅなどが設けられる。
ダイヤル操作部５ｂは、例えば撮像モードの選択などに用いられる。操作キー５ｄとして、メニュー指示、再生指示、露出補正指示などの操作が可能とされる。
十字キー５ｅは、例えば表示パネル６に表示される操作メニュー項目の選択／決定を始めとして各種操作に用いられる。
【００１８】
そして撮像装置１には、背面側には図１（ａ）のように、液晶パネルや有機ＥＬ（Electroluminescence）パネルなどによる主表示パネル６Ｍが設けられるとともに、前面側には図１（ｂ）のように、同じく液晶パネルや有機ＥＬパネルなどによる前面表示パネル６Ｆが設けられている。
この主表示パネル６Ｍと前面表示パネル６Ｆは、例えば同等の画面サイズとされ、それぞれ筐体背面及び筐体前面において比較的広い面積を占めるようにして設けられている。
主表示パネル６Ｍでは、基本的には、モニタリング期間（撮像モードでシャッタタイミングを狙っているとき）には、使用者が被写体のモニタリング画像（スルー画）の表示が行われ、撮像対象となっている被写体光景を使用者が確認できるようにしている。また再生モードでは、使用者の操作に従って、再生画像やサムネイル画像の表示が行われる。
一方、前面表示パネル６Ｆは、被写体側に向けて表示を行うことになる。後述するが、この前面表示パネル６Ｆでも、モニタリング画像等の表示を行い、被写体側となっている人物が表示内容を見ることができるようにされている。
【００１９】
このような撮像装置１の構成例を図２で説明する。
図２に示すように撮像装置１は、撮像系２、制御系３、カメラＤＳＰ（Digital Signal Processor）４、操作部５、主表示パネル６Ｍ、前面表示パネル６Ｆ、表示コントローラ７、外部インターフェース８、ＳＤＲＡＭ（Synchronous Dynamic Random Access Memory）９、媒体インターフェース１０を備える。
【００２０】
撮像系２は、撮像動作を実行する部位とされ、レンズ機構部２１，絞り／ＮＤフィルタ機構２２、撮像素子部２３、アナログ信号処理部２４、Ａ／Ｄ変換部２５、レンズ駆動部２６、レンズ位置検出部２７、タイミング生成回路２８、ブレ検出部１３、発光駆動部１４、フラッシュ発光部１５、レンズ駆動ドライバ１７、絞り／ＮＤ駆動ドライバ１８、撮像素子ドライバ１９を備える。
【００２１】
被写体からの入射光は、レンズ機構部２１及び絞り／ＮＤフィルタ機構２２を介して撮像素子部２３に導かれる。
レンズ機構部２１は、上記図１（ｂ）の撮像レンズ部２０の内部構成であり、カバーレンズ、フォーカスレンズ、ズームレンズなどの複数の光学レンズ群を有する。またレンズ駆動部２６は、フォーカスレンズやズームレンズを光軸方向に移送する移送機構とされる。レンズ駆動部２６はレンズ駆動ドライバ１７によって駆動電力が印加されフォーカスレンズやズームレンズを移送する。後述するＣＰＵ（Central Processing Unit）３１はレンズ駆動ドライバ１７を制御することで、焦点制御やズーム動作を実行させる。
【００２２】
絞り／ＮＤフィルタ機構２２は、絞り機構と、レンズ光学系内に挿入されることによって入射光量を減衰させる（調整する）ＮＤフィルタ機構を有し、光量調整を行う。
絞り／ＮＤ駆動ドライバ１８は、絞り機構の開閉により入射光量の調節を行う。また絞り／ＮＤ駆動ドライバ１８は、ＮＤフィルタを入射光の光軸上に対して出し入れすることで、入射光量の調節を行う。ＣＰＵ３１は、絞り／ＮＤ駆動ドライバ１８を制御して絞り機構やＮＤフィルタを駆動させることで入射光量制御（露光調整制御）を行うことができる。
【００２３】
被写体からの光束はレンズ機構部２１、絞り／ＮＤフィルタ機構２２を通過し、撮像素子部２３上に被写体像が結像される。
撮像素子部２３は、結像される被写体像を光電変換し、被写体像に対応する撮像画像信号を出力する。
この撮像素子部２３は、複数の画素から構成される矩形形状の撮像領域を有し、各画素に蓄積された電荷に対応するアナログ信号である画像信号を、画素単位で順次、アナログ信号処理部２４に出力する。撮像素子部２３としては、例えばＣＣＤ（Charge Coupled Device）センサアレイ、ＣＭＯＳ（Complementary Metal Oxide Semiconductor）センサアレイなどが用いられる。
【００２４】
アナログ信号処理部２４は、内部にＣＤＳ（相関２重サンプリング）回路や、ＡＧＣ（オートゲインコントロール）回路などを有し、撮像素子部２３から入力される画像信号に対して所定のアナログ処理を行う。
Ａ／Ｄ変換部２５は、アナログ信号処理部２４で処理されたアナログ信号をデジタル信号に変換し、カメラＤＳＰ４に供給する。
【００２５】
タイミング生成回路２８は、ＣＰＵ３１により制御され、撮像素子部２３、アナログ信号処理部２４、Ａ／Ｄ変換部２５の各動作のタイミングを制御する。
即ちタイミング生成回路２８は、撮像素子部２３の撮像動作タイミングを制御するために、露光／電荷読出のタイミング信号や、電子シャッタ機能としてのタイミング信号、転送クロック、フレームレートに応じた同期信号等を、撮像素子ドライバ１９を介して撮像素子部２３に供給する。またアナログ信号処理部２４で、撮像素子部２３での画像信号の転送に同期して処理が行われるように、上記各タイミング信号をアナログ信号処理部２４にも供給する。
ＣＰＵ３１は、タイミング生成回路２８により発生させる各タイミング信号の制御を行うことで、撮像画像のフレームレートの変更や、電子シャッタ制御（フレーム内の露光時間可変制御）を行うことができる。またＣＰＵ３１は、例えばタイミング生成回路２８を介してアナログ信号処理部２４にゲイン制御信号を与えるようにすることで、撮像画像信号のゲイン可変制御を行うことができる。
【００２６】
ブレ検出部１３は、手ぶれ量や撮像装置１自体の動きの量を検出する。例えば加速度センサ、振動センサなどで構成され、ブレ量としての検出情報をＣＰＵ３１に供給する。
フラッシュ発光部１５は発光駆動部１４によって発光駆動される。ＣＰＵ３１は、ユーザの操作その他による所定タイミングで、発光駆動部１４にフラッシュ発光を指示し、フラッシュ発光部１５を発光させることができる。
【００２７】
カメラＤＳＰ４は、撮像系２のＡ／Ｄ変換部２５から入力される撮像画像信号に対して、各種のデジタル信号処理を行う。
このカメラＤＳＰ４では、例えば図示のように画像信号処理部４１，圧縮／解凍処理部４２、ＳＤＲＡＭコントローラ４３、画像解析部４４等の処理機能が内部のハードウエア及びソフトウエアにより実現される。
【００２８】
画像信号処理部４１は入力される撮像画像信号に対する処理を行う。例えば撮像画像信号を用いた撮像系２の駆動制御用の演算処理として、オートフォーカス（ＡＦ）用処理、オートアイリス（ＡＥ）用処理などを行い、また入力される撮像画像信号自体に対する処理としてオートホワイトバランス（ＡＷＢ）処理などを行う。
【００２９】
例えばオートフォーカス用処理としては、画像信号処理部４１は入力される撮像画像信号についてコントラスト検出を行い、検出情報をＣＰＵ３１に伝える。オートフォーカス制御方式としては、各種の制御手法が知られているが、いわゆるコントラストＡＦと呼ばれる手法では、フォーカスレンズを強制的に移動させながら、各時点の撮像画像信号のコントラスト検出を行い、最適コントラスト状態のフォーカスレンズ位置を判別する。即ちＣＰＵ３１は、撮像動作に先立って、フォーカスレンズの移動制御を実行させながら画像信号処理部４１で検出されるコントラスト検出値を確認し、最適なコントラスト状態となった位置をフォーカス最適位置とする制御を行う。
また、撮像中のフォーカス制御としては、いわゆるウォブリングＡＦと呼ばれる検出方式が実行できる。ＣＰＵ３１は、撮像動作中に、常時フォーカスレンズの位置を微小に前後にゆらすように移動させながら、画像信号処理部４１で検出されるコントラスト検出値を確認する。フォーカスレンズの最適位置は、当然、被写体の状況によって変動するが、フォーカスレンズを前後に微小変位させながらコントラスト検出を行うことで、被写体の変動に応じたフォーマット制御方向の変化を判定できる。これによって、被写体状況に追尾したオートフォーカスが実行できることになる。
なお、レンズ駆動部２６における移送機構には、各移送位置毎にアドレスが割り当てられており、その移送位置アドレスによってレンズ位置が判別される。
レンズ位置検出部２７は、フォーカスレンズの現在のレンズ位置としてのアドレスを判別することで、合焦状態となっている被写体までの距離を算出し、それを距離情報としてＣＰＵ３１に供給することができる。これによってＣＰＵ３１は、合焦状態としている主たる被写体までの距離を判別できる。
【００３０】
カメラＤＳＰ４の画像信号処理部４１が実行するオートアイリス用処理としては、例えば被写体輝度の算出が行われる。例えば入力される撮像画像信号の平均輝度を算出し、これを被写体輝度情報、即ち露光量情報としてＣＰＵ３１に供給する。平均輝度の算出としては例えば１フレームの撮像画像データの全画素の輝度信号値の平均値、或いは画像の中央部分に重みを与えた輝度信号値の平均値の算出など、各種の方式が考えられる。
ＣＰＵ３１は、この露光量情報に基づいて、自動露光制御を行うことができる。即ち絞り機構、ＮＤフィルタ、或いは撮像素子部２３における電子シャッタ制御、アナログ信号処理部２４へのゲイン制御により、露光調整を行うことができる。
【００３１】
カメラＤＳＰ４の画像信号処理部４１は、これらのオートフォーカス動作、オートアイリス動作に用いる信号生成処理の他、撮像画像信号自体の信号処理として、オートホワイトバランス、γ補正、エッジ強調処理、手ブレ補正処理等を行う。
【００３２】
カメラＤＳＰ４における圧縮／解凍処理部４２は、撮像画像信号に対する圧縮処理や、圧縮された画像データに対する解凍処理を行う。例えばＪＰＥＧ(Joint Photographic Experts Group)、ＭＰＥＧ(Moving Picture Experts Group)などの方式による圧縮処理／解凍処理を行う。
【００３３】
ＳＤＲＡＭコントローラ４３は、ＳＤＲＡＭ９に対する書込／読出を行う。ＳＤＲＡＭ９は、例えば撮像系２から入力された撮像画像信号の一時保存、画像処理部４１や圧縮／解凍処理部４２での処理過程における保存やワーク領域の確保、画像解析部４４で得られた情報の保存などに用いられ、ＳＤＲＡＭコントローラ４３は、これらのデータについてＳＤＲＡＭ９に対する書込／読出を行う。
【００３４】
画像解析部４４は、例えば画像信号処理部４１で処理された撮像画像データについて画像解析を行い、各種の画像認識を行う。
本例の場合、画像解析部４４は被写体画像に含まれている人物認識や顔認識の処理を行う。また人物の顔を認識した場合の、顔の向きや視線方向などの認識処理を行う場合もある。さらに画像解析部４４は外光状況、撮像装置１と被写体の相対的な動きの大きさなど、画像解析によって認識可能な各種の情報を検出する場合もある。
【００３５】
制御系３は、ＣＰＵ３１、ＲＡＭ３２、フラッシュＲＯＭ３３、時計回路３４を備える。制御系３の各部、及びカメラＤＳＰ４、撮像系２の各部、表示コントローラ７、外部インターフェース８、媒体インターフェース１０は、システムバスによって相互に画像データや制御情報の通信が可能とされている。
【００３６】
ＣＰＵ３１は、撮像装置１の全体を制御する。即ちＣＰＵ３１は内部のＲＯＭ等に保持したプログラム及び操作部５によるユーザの操作に基づいて、各種演算処理や各部と制御信号等のやりとりを行い、各部に所要の動作を実行させる。特に主表示パネル６Ｍにおける表示制御とともに、後述する前面表示パネル６Ｆの表示動作のための制御処理なども行う。
ＲＡＭ（Random Access Memory）３２は、カメラＤＳＰ４で処理された撮像画像信号（各フレームの画像データ）の一時的な保存や、ＣＰＵ３１の各種処理に応じた情報が記憶される。
フラッシュＲＯＭ３３は、撮像画像としての（ユーザが静止画又は動画として撮像した）画像データの保存や、その他不揮発的に保存することが求められる情報の記憶に用いられる。撮像装置１の制御用ソフトウェアプログラム、カメラの設定データなどを記憶する場合もある。
時計回路３４は、現在日時情報（年月日時分秒）を計数する。
【００３７】
操作部５は、図１に示した各種操作子（５ａ〜５ｅ等）及びその操作に基づく信号発生部からなる。各種操作子によるユーザの操作情報は、操作部５からＣＰＵ３１に伝達される。
なお、操作部５としては、操作子だけでなく、タッチパネル操作を可能な構成としてもよい。例えば主表示パネル６Ｍにタッチセンサを配し、画面表示に対するユーザのタッチ操作で、操作入力が行われるようにしてもよい。
【００３８】
表示コントローラ７は、ＣＰＵ３１の制御に基づいて、主表示パネル６Ｍ、及び前面表示パネル６Ｆに所要の表示動作を実行させる。
主表示パネル６Ｍにおける表示動作としては、モニタリング表示（いわゆるスルー画表示）や、記録媒体９０やフラッシュＲＯＭから読み出した再生画像表示、操作メニュー表示、各種アイコン表示、時刻表示などが行われる。
また前面表示パネル６Ｆにおける表示動作としては、モニタリング表示や、再生画像表示が行われる。
【００３９】
媒体インタフェース１０は、ＣＰＵ３１の制御に基づいて、撮像装置１の内部にセットされたメモリカード（カード状のリムーバブルメモリ）等の記録媒体９０に対してデータの読出／書込を行う。例えば媒体インタフェース１０は、撮像結果としての静止画データや動画データについて記録媒体９０に記録する動作を行う。また再生モード時には画像データを記録媒体９０から読み出す動作を行う。
なお、ここでは記録媒体９０として可搬性のメモリカードを例に挙げているが、撮像結果として残す静止画若しくは動画としての画像データを記録する記録媒体は他の種のものでもよい。例えば光ディスク等の可搬性ディスクメディアを用いるようにしても良いし、ＨＤＤ（Hard Disk Drive）を搭載して記録するようにしてもよい。
【００４０】
外部インタフェース８は、例えばＵＳＢ（Universal Serial Bus）などの信号規格にしたがって、所定のケーブルを介して外部装置との各種データの送受信を行う。もちろんＵＳＢ方式に限らず、ＩＥＥＥ（Institute of Electrical and Electronics Engineers）１３９４方式など、他の規格による外部インターフェースとしてもよい。
また、有線伝送方式ではなく、赤外線伝送、近距離無線通信その他の無線伝送方式で外部インターフェース８を構成しても良い。
撮像装置１は、この外部インターフェース８を介して、パーソナルコンピュータその他各種機器とデータ送受信を行うことができる。例えば撮像画像データを外部機器に転送することができる。
【００４１】
なお図２には近接センサ５０を示している。この近接センサ５０は、撮像装置１の前方（被写体側）に人物が居るか否かを検出するセンサとする。例えば焦電センサなどを採用できる。
上記したように人物検出を画像解析部４４の画像解析処理により行うものとする場合は、この近接センサ５０は設けなくてもよいし、或いは画像解析による人物検出と近接センサ５０による検出を併用してもよい。
【００４２】
［２．動作遷移］
本例の撮像装置１の動作期間の遷移について図３で説明する。動作期間とは撮像動作や記録動作を伴う期間である。
撮像装置１の動作期間としては、ユーザの操作等に応じてモニタリング期間、記録期間、プレビュー期間、再生期間を遷移する。なお、実際には外部機器との通信を行う期間など他の動作状態もあるが、説明の簡略化のため省略する。
【００４３】
撮像装置１は例えばパワーオンとなると、モニタリング動作を開始する。なお、ユーザが電源オフ状態から再生操作を行う場合など、パワーオンの際に再生動作状態となる場合もある。
モニタリング期間とは、撮像系２による撮像を行うための動作期間である。ユーザが、通常に撮像装置１を用いて静止画撮像を行う場合、まずこのモニタリング動作が行われる。
このモニタリング期間は、主表示パネル６Ｍに被写体画像（スルー画）が表示される。
即ちＣＰＵ３１は、モニタリング期間においては撮像系２、カメラＤＳＰ４にそれぞれ撮像時に必要な動作を実行させる。そしてカメラＤＳＰ４から供給されるフレーム毎の撮像画像データを例えばＲＡＭ３２に取り込む。そしてこのフレーム毎の撮像画像データを表示コントローラ７に受け渡し、主表示パネル６Ｍにモニタリング表示を実行させる。後述するが、このときに前面表示パネル６Ｆにもモニタリング表示を実行させる場合もある。
このモニタリング期間において、ユーザは、この主表示パネル６Ｍの表示を見ながら、被写体を選択したり、シャッタータイミングを狙うこととなる。
【００４４】
モニタリング期間において、ユーザがレリーズ操作キー５ａを押すと、即ちシャッタ操作を行うと、記録期間としての動作が行われる。
ＣＰＵ３１は、このレリーズ操作のタイミングで撮像される１フレームの撮像画像データを、静止画データとして保存する処理を行う。即ちＣＰＵ３１は当該タイミングで取り込んだ撮像画像データを媒体インターフェース１０に転送し、記録媒体９０に記録させる。
なおレリーズ操作に応じた記録動作としては、記録媒体９０ではなく、フラッシュＲＯＭ３３において行うようにしてもよい。また、通常は記録媒体９０に記録するが、記録媒体９０が装填されていない場合はフラッシュＲＯＭ３３に記録するような動作方式でも良い。
この記録期間は、ユーザからみるとレリーズ操作直後の、時間的には一瞬の期間であるが、その間も後述のように主表示パネル６Ｍ、前面表示パネル６Ｆについて表示制御が行われる。
【００４５】
レリーズ操作に応じた記録動作の直後は、例えば一定時間、プレビュー期間とされる。プレビュー期間とは、主表示パネル６Ｍに、直前の記録動作で記録した画像が表示される期間である。即ちユーザが、撮像した静止画像を、直後に確認できるようにする期間である。
一定時間とする場合は、例えば２秒〜数秒程度の期間がプレビュー期間とされる。ＣＰＵ３１はこの期間、記録した静止画像データを、主表示パネル６Ｍや前面表示パネル６Ｆに表示させる制御を行う。
なお、撮像装置１の内部的な処理としては、記録期間の処理とプレビュー期間の処理が時間的に重なることがある。例えば記録処理に時間を要し、記録が完了する前にプレビュー処理を開始する場合などである。このような場合、内部的には完全に記録期間とプレビュー期間の遷移が行われるものではないが、表示動作に関しては、記録期間からプレビュー期間に遷移すると考えればよい。
【００４６】
プレビュー期間としての所定時間が経過すると、ＣＰＵ３１は動作状態をモニタリング状態に戻し、モニタリング期間としての動作制御を行う。
つまり、モニタリング期間、記録期間、プレビュー期間が遷移して、静止画撮像としての一連の動作が行われるものとなる。
なお、撮像装置１では動画撮像も可能であるが、動画の場合は記録期間が、その動画撮像の開始から終了までの期間、継続するものとなる。またプレビュー期間は設けられない。後に、動画記録についても言及する。
【００４７】
ユーザが再生動作を指示する操作を行った場合、再生動作状態（再生期間）に移行する。
再生期間には、撮像等によって記録媒体９０やフラッシュＲＯＭ３３に記録された画像を再生する動作が行われる。
ＣＰＵ３１は、ユーザの操作に応じて、記録媒体９０やフラッシュＲＯＭ３３に記録されている画像を読み出し、表示コントローラ７に指示して、主表示パネル６Ｍでサムネイル画像や１枚の再生画像を表示させる制御を行う。また前面表示パネル６Ｆで再生画像を表示させる場合もある。
【００４８】
［３．両表示パネル部の画面表示例］
本例の撮像装置１において主表示パネル６Ｍ、前面表示パネル６Ｆで行われる画面表示例を図４，図５で説明する。
【００４９】
図４（ａ）は、主表示パネル６Ｍにおいて画像表示が行われ、前面表示パネル６Ｆでは表示オフとされている状態を示している。
表示される画像は、モニタリング期間におけるモニタリング画像（スルー画）や記録期間における記録画像（静止画として記録処理した画像）、プレビュー期間におけるプレビュー画像（直前に静止画として記録処理した画像）などである。また再生期間における再生画像の場合もある。
再生画像とは、記録媒体９０やフラッシュＲＯＭ３３に記録されている、過去に撮像した画像の再生画像を想定するが、例えば予め撮像装置１内に記憶された画像としてもよい。例えば前面表示パネル６Ｆにおいてモニタリング画像を表示しないときなどに表示させる画像データを用意してフラッシュＲＯＭ３３等に予めプリセット画像として記憶させておき、そのプリセット画像データを読み出して表示させるような例である。
さらにはいわゆる撮像画像としての画像データに限られず、テキストデータ、アニメーションデータ、コンピュータグラフィックデータなどを記録媒体９０やフラッシュＲＯＭ３３に記録させておき、これらを再生して表示させることも考えられる。つまり再生画像とは、表示可能なあらゆる画像を含む。
【００５０】
図４（ｂ）は、主表示パネル６Ｍにおいてモニタリング画像や再生画像等の画像表示が行われ、前面表示パネル６Ｆでも同じ画像が表示されている状態を示している。
図４（ｃ）は、主表示パネル６Ｍと前面表示パネル６Ｆで異なる画像が表示されている状態を示している。
図５（ａ）は、主表示パネル６Ｍでは表示をオフとし、前面表示パネル６Ｆではモニタリング画像等の表示を行っている例である。
図５（ｂ）は、再生期間の表示例として、主表示パネル６Ｍにおいて再生画像のサムネイル画像による一覧表示が行われ、一方、前面表示パネル６Ｆでは、サムネイル画像の中でカーソルＫによって選択中となっている再生画像が表示されている状態を示している。
図５（ｃ）も再生期間の表示例として、主表示パネル６Ｍにおいて１枚の再生画像の表示が行われ、前面表示パネル６Ｆでも、同じく１枚の再生画像が表示されている状態を示している。
【００５１】
以上は、表示状態の例の一例であるが、本例では、各動作期間毎に、それぞれ主表示パネル６Ｍと前面表示パネル６Ｆで適切な表示制御が行われ、多様な表示状態が実現される。
ＣＰＵ３１は、主表示パネル６Ｍと前面表示パネル６Ｆについて、各動作期間における表示の目的や推定される状況に応じて、表示制御を行い、その結果、上記のように両表示パネル６Ｍ、６Ｆの表示状態が多様なものとなる。
以下では、動作期間の遷移と、各期間における動作制御例について各種説明していく。
【００５２】
［４．表示制御例］
＜４−１：動作期間遷移を行う処理例＞
まず図６で、ＣＰＵ３１の、動作期間の遷移を伴う全体的な動作制御例を説明する。なおここでは、撮像装置１が電源オンとされ、起動されると、最初にモニタリング期間としての動作が行われる例（図３に対応する例）で述べる。
【００５３】
ＣＰＵ３１は、撮像装置１が電源オンとされると、図６のステップＦ１０１でモニタリング期間の開始処理を行う。
即ちＣＰＵ３１は、所要の起動処理を行うとともに、撮像系２，カメラＤＳＰ４に撮像動作の開始を指示する。これにより撮像系２，カメラＤＳＰ４の処理で得られるモニタリング画像としての各フレームデータが取り込まれてくることになる。
ＣＰＵ３１は、ステップＦ１０２で、モニタリング期間としての表示制御処理を行う。ＣＰＵ３１は、モニタリング期間には、基本的には主表示パネル６Ｍにおいてモニタリング画像を表示させる制御を行う。また前面表示パネル６Ｆにモニタリング画像表示を実行させる場合もある。ステップＦ１０２の具体的な処理例については図７等で述べる。
【００５４】
モニタリング期間は、ユーザが、モニタリング画像を見ながら、被写体や構図を決めたりレリーズタイミングを狙う期間である。またユーザは、撮像装置１の動作状態をモニタリング状態から再生動作に切り替えることもできる。
そのためＣＰＵ３１はステップＦ１０３で、ユーザの再生指示操作を監視し、またステップＦ１０４でユーザのレリーズ操作を監視している。
【００５５】
ユーザがレリーズ操作キー５ａの操作を行ったことを検知したら、ＣＰＵ３１はステップＦ１０５として記録期間に移行して必要な処理を行う。即ち静止画記録処理及び表示制御を行う。
静止画記録処理としてＣＰＵ３１は、レリーズ操作のタイミングで撮像される１フレームの撮像画像データを、静止画データとして保存する処理を行う。即ちＣＰＵ３１は当該タイミングで取り込んだ撮像画像データを媒体インターフェース１０に転送し、記録媒体９０に記録させる。或いは、フラッシュＲＯＭ３３に記録させる。
またこの記録期間は、ユーザからみるとレリーズ操作直後の時間的には一瞬の期間であるが、ＣＰＵ３１は、この記録期間において、主表示パネル６Ｍ、前面表示パネル６Ｆについて、それまでのモニタリング期間とは異なる表示制御を行う。具体例は後述する。
【００５６】
図３で述べたように、レリーズ操作に応じた記録動作の直後は、例えば一定時間、プレビュー期間とされる。
ＣＰＵ３１は、ステップＦ１０６のプレビュー期間の処理として、直前の記録動作で記録した画像を表示させる処理を行うが、この場合も、記録期間やモニタリング期間とは異なる表示制御として、主表示パネル６Ｍ、前面表示パネル６Ｆについての表示制御を行う。
プレビュー処理を行ったら、ＣＰＵ３１はステップＦ１０１に戻り、再びモニタリング期間の開始処理を行い、またステップＦ１０２でモニタリング期間としての表示動作制御を行う。
【００５７】
モニタリング期間においてユーザが再生指示の操作を行った場合は、ＣＰＵ３１はステップＦ１０７に進み、再生表示処理を行う。
即ち、媒体インターフェース１０による記録媒体９０からの画像データの読み出し処理の制御、或いはフラッシュＲＯＭ３３からの画像データの読み出し処理を行う。そして、後述するが、この再生期間は、ＣＰＵ３１は、後述する再生期間用の表示制御処理を実行し、主表示パネル６Ｍ、前面表示パネル６Ｆについての表示制御を行うことになる。
ユーザの操作等によって再生動作を終了する場合は、ＣＰＵ３１はステップＦ１０８からＦ１０１に戻り、再びモニタリング期間の処理に移行する。
【００５８】
なお、この図６には示していないが、ユーザ操作や無操作状態での所定時間の経過などにより、ＣＰＵ３１は電源オフ処理を行うことになる。
【００５９】
＜４−２：モニタリング期間の処理例＞
図６の処理により撮像装置１は、ユーザ操作等に応じて、その動作状態として、モニタリング期間、記録期間、プレビュー期間、再生期間の遷移を行う。
そして本例では、これらの動作期間の遷移に応じて、ＣＰＵ３１はそれぞれ主表示パネル６Ｍ及び前面表示パネル６Ｆの表示状態や表示内容の切り替えを行う。
以下では、各動作期間毎の具体的な処理例を説明していく。
【００６０】
まず図７（ａ）（ｂ）でモニタリング期間における処理例を説明する。即ち上記図６のステップＦ１０２としてのＣＰＵ３１の処理例である。
図７（ａ）の例では、まずＣＰＵ３１はステップＦ２０１で、主表示パネル６Ｍにおけるモニタリング画像表示を実行させる制御を行う。
これにより、撮像系２，カメラＤＳＰ４の動作で得られる被写体画像（スルー画）としてのモニタリング画像が主表示パネル６Ｍで表示され、ユーザは、これを見て、被写体や構図の選定等を行うことができる。
【００６１】
このときＣＰＵ３１は、前面表示パネル６Ｆの表示制御としてステップＦ２０２〜Ｆ２０５の処理を行う。
まずステップＦ２０２で、前面表示パネル６Ｆの表示についての条件判定を行う。これは、前面表示パネル６Ｆについての視認可能性条件の判別処理となる。視認可能性とは、前面表示パネル６Ｆの表示が有効に行われる可能性をいう。
例えば前面表示パネル６Ｆを見る人物が存在することや、当該人物が前面表示パネル６Ｆを見ようとした場合に通常に視認できる状況であること、或いは当該人物が前面表示パネル６Ｆを見ようとする意志があること等が、視認可能性として推定される。
この視認可能性の判定は、例えば被写体方向における人物の存在の判別処理、又は撮像モードの判別処理、又は内部検出情報についての判別処理、又は撮像画像信号の画像解析処理結果についての判別処理として実行できる。
【００６２】
そして、視認可能性があると判定されたら、ＣＰＵ３１は処理をステップＦ２０３からＦ２０４に進め、前面表示パネル６Ｆでモニタリング画像の表示制御を行う。この場合、図４（ｂ）のように、主表示パネル６Ｍと同じくモニタリング画像が前面表示パネル６Ｆの表示される。
一方、視認可能性がないと判定されたら、ＣＰＵ３１は処理をステップＦ２０３からＦ２０５に進め、前面表示パネル６Ｆの表示をオフとする制御を行う。例えば前面表示パネル６Ｆを無表示状態としたり、前面表示パネル６Ｆについての電源オフ制御を行う。
この場合、図４（ａ）のように、主表示パネル６Ｍのみでモニタリング画像が表示される。
【００６３】
図６のステップＦ１０２において、ＣＰＵ３１が図７（ａ）の処理を行うことで、視認可能性があると推定される条件が満たされれば、ステップＦ２０４の処理で前面表示パネル６Ｆでモニタリング画像表示が行われることになる。
モニタリング期間には、前面表示パネル６Ｆでモニタリング画像を表示すると好適である。例えば被写体が人物である場合、その人物が、前面表示パネル６Ｆの表示を見て、撮されようとしている自分の表情やポーズなどを確認できるからである。
【００６４】
ところが、これはあくまで、被写体側に人物が居るときのみ有用となる。例えば撮像者が人のいない風景を撮像しようとしているときには、前面表示パネル６Ｆの表示を見る人物は存在しない場合が多い。
また被写体として人物が居たとしても、周囲の明るさ状況などで実際的に表示を見ることができない場合もある。
さらに被写体として人物が居たとしても、その人物が、前面表示パネル６Ｆの表示を見ていない、又は見ることができない状況もあり得る。
これらの場合には、前面表示パネル６Ｆにモニタリング画像を表示しても意味がないことになり、そこで前面表示パネル６Ｆをオフにして省電を図ることが適切であるため、このような場合はステップＦ２０５で前面表示パネル６Ｆをオフとする。
【００６５】
つまり条件判定によって、前面表示パネル６Ｆの表示が有効であるとされる場合において、前面表示パネル６Ｆでモニタリング画像表示を行い、被写体人物等が被写体（例えば自分の表情や姿）を確認できるようにする。一方、前面表示パネル６Ｆの表示が有効ではないと判定される場合は、前面表示パネル６Ｆの表示をオフとする。つまり誰も見ていない無駄な表示、或いは視認性の悪い無駄な表示は行わないことで、消費電力の節減等を図る。
【００６６】
以下、視認可能性の条件判定の例を挙げていく。
条件判定の手法の一つとして、撮像モードによる判定が挙げられる。
撮像モードとは、夜景モード、夜景＆人物モード、ポートレートモード、風景モード、ソフトスナップモード、スノーモード、ビーチモード、高速シャッターモード、高感度モード、スマイルシャッターモードなど、各種の状況で適切な状態で撮像を行うことができるようにユーザが選択するモードである。
これらの撮像モードとしては、それぞれ適切なシャッタ速度、露出設定、撮像画像信号に対する信号ゲイン設定、エッジ強調や色処理等の信号処理設定などが予め決められており、例えば図１に示したダイヤル操作部５ｂの操作により、ユーザが選択できる。
【００６７】
夜景モードは、夜景撮像に適した設定で撮像が行われる撮像モードである。
夜景＆人物モードは、バックの夜景と人物の表情をそれぞれ鮮明に撮像できるようにした設定で撮像が行われる撮像モードである。
ポートレートモードは、人物撮像に適した設定で撮像が行われる撮像モードである。
風景モードは、風景撮像に適した設定で撮像が行われる撮像モードである。
ソフトスナップモードは、人物の肌の質感を明るく柔らかな印象とする設定で撮像されるようにした撮像モードである。
高速シャッターモードは、動きのある被写体に適した設定で撮像が行われる撮像モードである。
高感度モードは、暗いシーンもフラッシュを使わずに自然な雰囲気で撮像が行われる撮像モードである。
スマイルシャッターモードは、被写体人物が笑顔になると、自動でシャッター処理（レリーズ）が行われる撮像モードである。
【００６８】
これらの撮像状況に適した撮像処理を行うための撮像モードがユーザによって選択されるが、ＣＰＵ３１は、モニタリング期間から記録期間までの静止画撮像の過程においては、撮像モード設定に応じて撮像処理制御を行う。即ちダイヤル操作部５ｂの操作によって選択された撮像モードに応じて、撮像系２やカメラＤＳＰ４に各種パラメータ指示を行う。例えば上記したシャッタ速度、露出設定、信号処理設定等の指示である。
【００６９】
これらの撮像モードを例えば図７のステップＦ２０２での条件判定に用いる場合、現在の撮像モードが、予め決めた所定の撮像モードであるか否かの判断を行う。
即ち、現在の周囲の状況や目的とする被写体等を、撮像モードによって推定する。
【００７０】
例えば上記した各撮像モードのうちで、前面表示パネル６Ｆについての表示に適した状況を推定できる所定の撮像モードとは、夜景＆人物モード、ポートレートモード、ソフトスナップモード、スマイルシャッターモードなどとする。即ちＣＰＵ３１は、これらの撮像モードを、条件判定の際に、所定の撮像モードに該当するものとして予め決めておく。
これらの撮像モードは、人物の撮像を目的とする場合に選択されるものであり、従って、被写体として人物が含まれる可能性が高い。つまり、前面表示パネル６Ｆの表示を見ることのできる人物が被写体として存在する可能性が高い。
そこでＣＰＵ３１は、撮像モードが、夜景＆人物モード、ポートレートモード、ソフトスナップモード、スマイルシャッターモードのいずれかであれば、前面表示パネル６Ｆの表示の条件が満たされるとする。
【００７１】
これら以外の撮像モード、即ち夜景モード、風景モード、高速シャッターモード、高感度モードの場合は、人物の撮像を目的としない場合に選択されたり、或いは、前面表示パネル６Ｆの視認性が悪い状態と推定される。
例えば夜景モード、風景モードは、風景撮像を目的とするもので、被写体に人物が存在しないか、或いは存在したとしても、画像内の中心的な存在ではないと推定できる。また夜景モードや高感度モードの場合は、もし前方に人物が居たとしても、暗い風景を撮像している際のモニタリング画像は、前面表示パネル６Ｆに表示させたとしても、当該前方の人物からは視認性が悪い。
また高速シャッターモードの被写体は動きのある被写体となる。例えば人が被写体であったとしても、その人はスポーツ競技中、ダンス中などの状況にあり、落ち着いて前面表示パネル６Ｆを見る状況ではない。
つまり、これらの撮像モードの場合、前方に人が居ないか、或いは人物が居たとして前面表示パネル６Ｆが視認性よく表示される状況でない、或いは前面表示パネル６Ｆを見る状況でないと推定される。
そこでＣＰＵ３１は撮像モードが夜景モード、風景モード、高速シャッターモード、高感度モードのいずれかの場合は、条件判定において、前面表示パネル６Ｆの表示の条件が満たされないとする。
【００７２】
なお、以上は例示であり、これら以外にも、夕景撮像に適した設定で撮像が行われる夕景モード、植物や昆虫等の接写に適したマクロモード、花火の撮像に適した花火モード、水中での撮像に適した水中モードなどが用意される場合もある。また、ゲレンデや雪景色の白銀をそのまま表現できるようにした設定で撮像が行われるスノーモードや、海や空の青色を際だたせるようにした設定で撮像が行われるビーチモードなども用意される場合もある。
これらの場合も、それぞれ人物の存在、前面表示パネル６Ｆの表示内容の視認性、被写体側の人物の状況に応じて、条件判定の際にどのように判断すべきか（前面表示パネル６Ｆの表示を行うべき所定の撮像モードに含まれるか否か）を予め設定しておけばよい。
【００７３】
また、条件判定の手法の一つとして、上記の撮像モード以外のユーザ設定による判定が挙げられる。ここでいうユーザ設定とは、例えばフラッシュ発光設定、ズーム位置操作など、撮像モード設定以外のユーザの操作に応じた設定状態のこととする。
そして条件判定としては、現在の撮像モード以外のユーザ設定状態が、前面表示パネル６Ｆにおける表示に適した設定状態であるか否かという判定を行う。
【００７４】
ユーザ設定のうちのフラッシュ発光設定については、次のように考える。フラッシュ発光設定とは、フラッシュ発光を実行させる（フラッシュ：オン）か、させないか（フラッシュ：オフ）、或いは自動制御でフラッシュオン／オフを行う（フラッシュ：オート）かをユーザが選択する設定である。
この場合、ユーザがフラッシュ：オンに設定とする場合は、周囲が暗い状況であることが通常である。
暗い状況の場合、モニタリング期間のモニタリング画像も輝度の低い状態となり、前面表示パネル６Ｆの表示の視認性は良くないと考えられる。
そこで、フラッシュ発光設定については、「フラッシュ：オン」とされている場合は、ＣＰＵ３１は前面表示パネル６Ｆの視認可能性としての条件が満たされていないと判定する。
【００７５】
ユーザ設定のうちでズーム位置操作設定については次のように考える。ズーム位置操作設定とは、例えばユーザが図１のワイド／テレ操作キー５ｃを操作してズーム操作した場合のズーム位置の設定のことである。
例えば人物を被写体としていたとしても、ズーム位置が所定以上にテレ側（望遠）にあるときは、その被写体人物は撮像装置１よりかなり離れた位置に居ると推定できる。当然、あまり遠ければ、その人物は、前面表示パネル６Ｆの表示を適切に見ることができない。
そこでＣＰＵ３１は、ユーザの操作によるズーム位置が、所定以上の望遠状態の位置である場合は、前面表示パネル６Ｆの視認可能性としての条件が満たされていないと判定する。
【００７６】
なお以上ではユーザ設定として、フラッシュ発光設定、ズーム位置操作について説明したが、ユーザ設定としては、上記した以外に、感度設定、露光設定、手ブレ補正オン／オフ設定、特殊撮像設定などが想定される。これらのそれぞれについても、被写体人物が適切に前面表示パネル６Ｆの表示を見るという行為について適切な状況（視認可能性）が推定されるか否かとして、条件判定に反映させることが考えられる。
【００７７】
また条件判定の手法の一つとして、内部検出情報を用いる判定が挙げられる。
内部検出情報とは、撮像装置１が内部的に検出する各種のカメラ検出情報である。ここでいうカメラ検出情報とは、撮像装置１の内部センサで検出される情報や、撮像装置１の動作制御に伴ってＣＰＵ３１が認識できる情報などである。例えばフラッシュ制御や露光制御に用いる外光光量検出情報、ズーム位置情報、フォーカス情報、手ブレ検出情報、被写体距離情報などである。
そして条件判定としては、ＣＰＵ３１は、現在得られているカメラ検出情報から推定される状況が、前面表示パネル６Ｆにおける表示に適した設定状態であるか否かという判定を行う。
【００７８】
外光光量は、撮像画像データの輝度平均値や、画面内の一部に重み付けを行って得た重み付け輝度平均値などから検出でき、これらは通常、自動露光制御や、フラッシュ発光設定がオートの場合のフラッシュ発光制御などに用いられる。例えばカメラＤＳＰ４の画像信号処理部４１で、これらの輝度値が算出されるため、ＣＰＵ３１はその情報を得ることができる。
また、図２には示していないが、外光光量センサ等を設けて直接的に外光光量を検出するようにしてもよい。
これらの手法で検出される外光光量が低い場合は、前面表示パネル６Ｆでモニタリング画像等の表示を行っても、画像自体の輝度が低く、良好な視認性が得られない状況であると推定できる。また、いわゆる逆光状態など、あまりに外光光量レベルが高い場合も、前面表示パネル６Ｆでの表示は良好に視認できないと推定できる。
そこでＣＰＵ３１は、外光光量が所定レベルより低い場合や逆光状態と判定されるような場合は、前面表示パネル６Ｆでの画像表示に適切な状況ではない、つまり前面表示パネル６Ｆの視認可能性としての条件が満たされていないと判定する。
【００７９】
ズーム位置情報については、ＣＰＵ３１はユーザ操作等に応じてズームレンズを駆動制御することから、ズーム位置を検出できる。そして人物を被写体としていたとしても、ズーム位置が所定以上にテレ側（望遠）にあるときは、その被写体人物は撮像装置１よりかなり離れた位置に居ると推定できる。つまり被写体人物は、前面表示パネル６Ｆの表示を適切に見ることができないと推定できる。
そこでＣＰＵ３１は、ズーム位置が所定以上の望遠状態の位置である場合は、前面表示パネル６Ｆの視認可能性としての条件が満たされていないと判定する。
【００８０】
被写体距離情報とは、撮像装置１から被写体までの距離の情報であり、例えばＣＰＵ３１は、上述したようにレンズ位置検出部２７からの情報を用いて、被写体距離情報を得ることができる。
例えば人物を被写体としていたとしても、被写体距離情報により、その被写体人物が撮像装置１よりかなり離れた位置に居ると判別できる場合は、被写体人物は、前面表示パネル６Ｆの表示を適切に見ることができないと推定できる。
そこでＣＰＵ３１は、被写体距離情報により、被写体が所定以上の遠い位置にあると検出される場合は、前面表示パネル６Ｆの視認可能性としての条件が満たされていないと判定する。
【００８１】
フォーカス情報とは、画像信号処理部４１でのオートフォーカスのための処理に用いる合焦状態の判定の情報である。
ＣＰＵ３１は、撮像画像信号が合焦状態でない画像の場合は、適切なモニタリング画像表示が実行できない。つまりボケたモニタリング画像が表示されてしまう。
そこで、ＣＰＵ３１は、合焦状態でないときは、前面表示パネル６Ｆの視認可能性としての条件が満たされていないと判定する。なお、これはモニタリング画像表示の場合に有効な条件判定となる。
【００８２】
ブレ検出情報は、手ブレや撮像装置１の動きの検出情報である。ＣＰＵ３１は例えばぶれ検出部１３からの情報としてブレ検出情報を得ることができる。
手ブレが大きい場合、或いはユーザが動きのある被写体に追従するなどして撮像装置１を動かしている場合などは、近辺に居る人は、前面表示パネル６Ｆでの画像は適正に視認できない。そこでＣＰＵ３１は、ブレ検出情報により、ブレや撮像装置１の動きが大きいと判断される場合は、前面表示パネル６Ｆの視認可能性としての条件が満たされていないと判定する。
【００８３】
また条件判定の手法の一つとして、画像解析情報を用いる判定が挙げられる。
画像解析情報とは、画像解析部４４が実行する画像解析処理によって得られる情報である。
画像解析部４４では、モニタリング期間などにおいて、撮像系２で撮像され、カメラＤＳＰ４に取り込まれた撮像画像データについての画像解析処理を行っている。例えば画像信号処理部４１で処理された各フレームの画像データについて、或いは間欠的にフレームを抽出して、画像解析処理を行う。
【００８４】
画像解析情報として、被写体に人物が含まれるか否かの情報を、条件判定に用いることができる。
この場合、画像解析部４４では、解析対象とした撮像画像データ内に、人物と認識できる画像が含まれているか否かを判別するようにする。即ち人物と認識できる輪郭部分が画像内に含まれるか否かを判別する。そして、その画像解析結果をＣＰＵ３１に供給する。
このためＣＰＵ３１は、その画像解析結果として、人物の存在が認識されたか否かを確認することができる。
ＣＰＵ３１は、人物の存在が認識できれば、前面表示パネル６Ｆの視認可能性としての条件が満たされていると判定する。また人物の存在が認識できなければ、前面表示パネル６Ｆの視認可能性としての条件が満たされていないと判定する。
【００８５】
このような条件判定を行えば、例えばモニタリング期間中に、使用者が、人物が被写体となるように撮像装置１を向けているときには、前面表示パネル６Ｆにモニタリング画像が表示される。また風景等、人物を含まない被写体光景を狙っているときには、前面表示パネル６Ｆはオフとされることになる。
【００８６】
なお、画像解析により前面表示パネル６Ｆの表示を見ることのできる人物の存在を確認することとしているが、画像解析ではなく、図２に示した近接センサ５０の検出結果を確認することで条件判定を行うこととしてもよい。
或いは、画像解析結果と近接センサ５０の検出結果の両方を確認するものとしてもよい。
【００８７】
ところで、画像解析による人物検出として、「顔」の検出を行うようにしてもよい。
例えば画像解析部４４においては、撮像画像データにおいて、顔と認識できる輪郭や、目、鼻、口等の顔の要素の存在を判定し、撮像画像データに被写体としての人物の「顔」が含まれているか否かを判定する。
そしてＣＰＵ３１は、画像解析結果として人物の顔の存在が認識できれば、前面表示パネル６Ｆの視認可能性としての条件が満たされていると判定する。また人物の顔の存在が認識できなければ、前面表示パネル６Ｆの視認可能性としての条件が満たされていないと判定する。
このように、人物の身体の全体の判定ではなく、顔の判定により、前方の人物の存在を確認しても良い。
【００８８】
画像解析部４４での画像解析処理によっては、人物認識や顔認識以外でも各種の画像認識結果を得ることができる。例えば外光光量の判定情報を得ることができる。またフレーム比較での動き検出や画素毎のぼけ量の解析などで、撮像装置１と被写体の相対的な動きの量を判定することもできる。
さらに顔画像が検出された場合の画像認識処理として、画面内での顔のサイズ（１フレームの画像内に占める顔部分の割合）や、顔の向き、視線の向きなどを解析結果として得ることもできる。
これらのようにより多様な画像解析結果も、条件判定に用いることができる。
【００８９】
画像解析として外光光量を判定する場合、上述のカメラ検出情報としても説明したが、外光光量が低い場合や、逆光状態など極端に高い場合は、前面表示パネル６Ｆでの表示は良好に視認できないと推定できる。
そこでＣＰＵ３１は、外光光量が所定レベルより低い場合や逆光状態と判定されるような場合は、前面表示パネル６Ｆの視認可能性としての条件が満たされていないと判定する。
【００９０】
また画像解析結果として、撮像装置１と被写体の相対的な動きの量が判定できる。つまり、撮像装置１自体がブレたり動いている（ユーザが撮像装置１を動かしている）場合、或いは被写体が動いている場合、或いは双方が動いている場合を判定できる。
これらの場合において動きの量が大きいときは、被写体となっている人物が居たとしても適切に前面表示パネル６Ｆを視認できないと考えられる。
そこでＣＰＵ３１は、撮像装置１と被写体の相対的な動きが大きいと判断される場合は、前面表示パネル６Ｆの視認可能性としての条件が満たされていないと判定する。
【００９１】
画像解析として、単に顔検出だけでなく、顔の大きさ（画面内での顔部分の割合）を判定することができる。
ズーム位置状態にもよるが、或る一定のズーム状態を考えれば、顔の大きさは、撮像装置１からの被写体となっている人物までの距離を判定する指標の１つとなる。
例えばズーム状態がワイド状態であっても顔が小さく撮されている場合は、その人物は遠くに居ると推定できる。
そこでＣＰＵ３１は、ズーム位置を考慮して、顔の大きさにより被写体人物の遠近を判断する。そして、その人物は遠くに居て前面表示パネル６Ｆの表示内容を見ることができないと判定する場合、前面表示パネル６Ｆの視認可能性としての条件が満たされていないと判定する。
【００９２】
また画像解析として、顔の向きや視線の向きを認識することもできる。
撮像画像上で顔が正面方向でない場合、或いは視線が正面方向でない場合は、その被写体人物は撮像装置１を見ていないこととなる。つまり前面表示パネル６Ｆを見ていないと判断できる。
そこでＣＰＵ３１は、顔の向き、或いは視線方向を確認する。そして、その人物が前面表示パネル６Ｆの表示内容を見ていないと判定する場合、前面表示パネル６Ｆの視認可能性としての条件が満たされていないと判定する。
【００９３】
以上、条件判定としての例を列挙してきたが、実際の視認可能性の条件判断の処理では、これらのうち少なくとも１つを用いたり、或いは２つ以上を組み合わせて用いればよい。
もちろん上記以外にも、条件判定処理の例は考えられる。条件判定としては、前面表示パネル６Ｆの表示についての視認可能性という点を推定できるものであればよい。
図７（ａ）の処理では、このような条件判定に応じて前面表示パネル６Ｆの表示が適切に行われることになる。
【００９４】
次に図７（ｂ）は、図６のステップＦ１０２の処理としての他の例を示している。
この場合ＣＰＵ３１は、モニタリング期間において、ステップＦ２０１で主表示パネル６Ｍでのモニタリング画像表示を実行させる。また、ステップＦ２０６で、前面表示パネル６Ｆの表示はオフとする。
即ちこの例は、モニタリング期間には、前面表示パネル６Ｆの表示は行わないようにしたものである。
【００９５】
＜４−３：記録期間の処理例＞
次に図８、図９で記録期間における処理例を説明する。即ち上記図６のステップＦ１０５としてのＣＰＵ３１の処理例である。
【００９６】
図８（ａ）の例は、記録期間において、記録処理対象の画像表示を行わない例である。
即ちＣＰＵ３１は、ユーザのレリーズ操作等に基づく処理として、レリーズタイミングで撮像され、取り込まれた撮像画像データを媒体インターフェース１０に転送し、記録媒体９０に記録させる。或いは、フラッシュＲＯＭ３３に記録させる。
またこの記録期間においてＣＰＵ３１は、主表示パネル６Ｍ、前面表示パネル６Ｆのそれぞれの表示をオフとする制御を行う。
【００９７】
図８（ｂ）の例は、記録期間において、主表示パネル６Ｍのみで記録処理対象の画像表示を行う例である。
即ちＣＰＵ３１は、ユーザのレリーズ操作等に基づく処理として、レリーズタイミングで撮像され、取り込まれた撮像画像データを記録媒体９０或いはフラッシュＲＯＭ３３に記録させる。そしてこの記録期間においてＣＰＵ３１は、主表示パネル６Ｍにおいて、当該記録処理に係る画像データの表示を実行させる。前面表示パネル６Ｆについては表示をオフとする制御を行う。
これにより、撮像装置１のユーザは、シャッタタイミングで撮像画像を見ることができる。
【００９８】
図８（ｃ）の例は、記録期間において、前面表示パネル６Ｆのみで記録処理対象の画像表示を行う例である。
即ちＣＰＵ３１は、ユーザのレリーズ操作等に基づく処理として、レリーズタイミングで撮像され、取り込まれた撮像画像データを記録媒体９０或いはフラッシュＲＯＭ３３に記録させる。そしてこの記録期間においてＣＰＵ３１は、前面表示パネル６Ｆにおいて、当該記録処理に係る画像データの表示を実行させる。主表示パネル６Ｍについては表示をオフとする制御を行う。
これにより、被写体となっている人物は、シャッタタイミングで撮像画像を見ることができる。
【００９９】
図８（ｄ）の例は、記録期間において、主表示パネル６Ｍと前面表示パネル６Ｆの両方で記録処理対象の画像表示を行う例である。
即ちＣＰＵ３１は、ユーザのレリーズ操作等に基づく処理として、レリーズタイミングで撮像され、取り込まれた撮像画像データを記録媒体９０或いはフラッシュＲＯＭ３３に記録させる。そしてこの記録期間においてＣＰＵ３１は、主表示パネル６Ｍ及び前面表示パネル６Ｆにおいて、当該記録処理に係る画像データの表示を実行させる。
これにより、撮像装置１のユーザ及び被写体となっている人物は、シャッタタイミングで撮像画像を見ることができる。
【０１００】
図９は、レリーズ操作キー５ａに関するユーザの操作として、いわゆる「半押し」の場合を考慮した処理例である。
一般にデジタルスチルカメラ等の撮像装置では、半押しの状態で、被写体にピントを合わせるフォーカス制御を行うものが知られている。本例の撮像装置１についてもそのような機能を有するものとした場合に、その半押しの期間を記録期間に含めた例が図９である。
図９は、例えば上記図６の処理で、ステップＦ１０４が、半押しの検出であるとした場合として処理を示している。
ＣＰＵ３１は、図６のモニタリング期間においてユーザがレリーズ操作キー５ａを半押ししたことを検知したら、ステップＦ１０４から図９のステップＦ５０１に処理を進める。
そしてＣＰＵ３１は、その際の被写体画像を対象としてのフォーカス制御を行う。
【０１０１】
ＣＰＵ３１はステップＦ５０２でレリーズ操作キー５ａの押し込みを監視する。即ち、ユーザが半押しの状態からレリーズ操作キー５ａを押し込んだときに、レリーズ操作が行われたと認識する。なお、図９には表現していないが、ユーザがレリーズ操作キー５ａの押し込み行うことなく半押しをやめた場合は、図６のモニタリング期間の処理に戻るようにすればよい。
半押しが継続している期間は、ＣＰＵ３１はステップＦ５０３〜Ｆ５０７及びステップＦ５０１の処理を繰り返すことになる。
【０１０２】
まずステップＦ５０３でＣＰＵ３１は、主表示パネル６Ｍにおけるモニタリング画像表示を実行させる制御を行う。ユーザは半押しの状態でシャッタチャンスを狙っているときであるため、主表示パネル６Ｍでのモニタリング画像表示が必要なためである。
一方、前面表示パネル６Ｆに関しては、まずステップＦ５０４で、前面表示パネル６Ｆの表示についての視認可能性についての条件判定を行う。条件判定の例は、上述したものと同様であり、例えば被写体方向における人物の存在の判別処理、又は撮像モードの判別処理、又は内部検出情報についての判別処理、又は撮像画像信号の画像解析処理結果についての判別処理などの一部又は全部を行う。これにより前面表示パネル６Ｆを見る人物が存在することや、当該人物が前面表示パネル６Ｆを見ようとした場合に通常に視認できる状況であること、或いは当該人物が前面表示パネル６Ｆを見ようとする意志があること等の判断を行う。
【０１０３】
そして、視認可能性があると判定されたら、ＣＰＵ３１は処理をステップＦ５０５からＦ５０６に進め、前面表示パネル６Ｆでモニタリング画像の表示制御を行う。
一方、視認可能性がないと判定されたら、ＣＰＵ３１は処理をステップＦ５０５からＦ５０７に進め、前面表示パネル６Ｆの表示をオフとする制御を行う。例えば前面表示パネル６Ｆを無表示状態としたり、前面表示パネル６Ｆについての電源オフ制御を行う。
つまり、被写体人物が前面表示パネル６Ｆを見る可能性がある場合のみ前面表示パネル６Ｆでのモニタリング画像表示が行われる。
【０１０４】
ユーザがレリーズ操作キー５ａの押し込みを行ったことを検知したら、ＣＰＵ３１はステップＦ５０８に進み、レリーズ処理を行う。
即ちＣＰＵ３１は、ユーザのレリーズ操作に基づく処理として、レリーズタイミングで撮像され、取り込まれた撮像画像データを媒体インターフェース１０に転送し、記録媒体９０に記録させる。或いは、フラッシュＲＯＭ３３に記録させる。
またＣＰＵ３１は、主表示パネル６Ｍ、前面表示パネル６Ｆのそれぞれの表示をオフとする制御を行う。
【０１０５】
なお、このステップＦ５０８は、上記図８（ａ）と同様としたが、上記図８（ｂ）又は図８（ｃ）又は図８（ｄ）の処理を行うようにしてもよい。
記録期間の制御処理としては、以上の図８，図９のような各例が考えられる。
【０１０６】
＜４−４：プレビュー期間の処理例＞
次に図１０〜図１３でプレビュー期間における処理例を説明する。即ち上記図６のステップＦ１０６としてのＣＰＵ３１の処理例である。
図１０は、プレビュー期間において、一定時間、主表示パネル６Ｍでプレビュー表示を行い、前面表示パネル６Ｆについては条件に応じてプレビュー表示を行うようにした例である。
【０１０７】
上記の記録期間の処理を終えたら、続いてＣＰＵ３１は図６のステップＦ１０６として図１０の処理を行う。ＣＰＵ３１はまずステップＦ６０１で、前面表示パネル６Ｆの表示についての視認可能性についての条件判定を行う。上述と同様、例えば被写体方向における人物の存在の判別処理、又は撮像モードの判別処理、又は内部検出情報についての判別処理、又は撮像画像信号の画像解析処理結果についての判別処理などの一部又は全部を行う。
これにより前面表示パネル６Ｆを見る人物が存在することや、当該人物が前面表示パネル６Ｆを見ようとした場合に通常に視認できる状況であること、或いは当該人物が前面表示パネル６Ｆを見ようとする意志があること等の視認可能性の判断を行う。
【０１０８】
そして、前面表示パネル６Ｆについての視認可能性があると判定されたら、ＣＰＵ３１は処理をステップＦ６０２からＦ６０４に進め、主表示パネル６Ｍと前面表示パネル６Ｆの両方でプレビュー表示制御を行う。即ち直前の記録期間の処理で記録を行った画像データについて両表示パネル６Ｍ、６Ｆで表示させる。
一方、前面表示パネル６Ｆについての視認可能性がないと判定されたら、ＣＰＵ３１は処理をステップＦ６０２からＦ６０３に進め、主表示パネル６Ｍでプレビュー表示制御を行う。前面表示パネル６Ｆについてはオフとする。これにより、直前の記録期間の処理で記録を行った画像データが主表示パネル６Ｍのみで表示される。
【０１０９】
ステップＦ６０４又はＦ６０３で開始したプレビュー表示は、ステップＦ６０５で一定の表示時間が経過するまで継続される。例えば数秒程度とする。ＣＰＵ３１はステップＦ６０４又はＦ６０３でプレビュー表示を開始した時点からタイムカウントを行い、ステップＦ６０５で一定時間の経過を監視する。
そして一定時間が経過したらステップＦ６０６でプレビュー表示を終了させる。
以上で図６のステップＦ１０６の処理が終了され、ＣＰＵ３１は図６のステップＦ１０１に戻ってモニタリング期間の処理を再開する。
【０１１０】
この図１０の処理によれば、プレビュー表示は、主表示パネル６Ｍでは常に一定時間行われるとともに、前面表示パネル６Ｆにおいては、見る人が居ると推定される状況において、一定時間行われることになる。
【０１１１】
次に図１１の処理例を説明する。この図１１は、前面表示パネル６Ｆのみでプレビュー表示を一定時間行うようにした処理例である。
なお図１１では、図６のステップＦ１０６のプレビュー処理に相当するのはステップＦ６１０のみであり、ステップＦ１０１は図６のステップＦ１０１を、またステップＦ２０１、Ｆ２１０，Ｆ２１１は図６のステップＦ１０２の処理として記載している。
【０１１２】
上述した記録期間の処理を終えたら、ＣＰＵ３１は図６のステップＦ１０６として図１１のステップＦ６１０の処理を行う。即ちＣＰＵ３１は直前の記録期間の処理で記録を行った画像データについて前面表示パネル６Ｆでプレビュー表示させる制御を行う。
【０１１３】
そしてＣＰＵ３１はステップＦ１０１に進み、モニタリング期間の処理を再開する。そしてステップＦ２０１で、主表示パネル６Ｍにおいてモニタリング画像表示を実行させる。
従って、主表示パネル６Ｍはモニタリング画像表示が行われ、前面表示パネル６Ｆではプレビュー表示が行われている状態となる。
またＣＰＵ３１は、ステップＦ６１０でプレビュー表示を開始した時点からタイムカウントを行っており、ステップＦ２１０で一定時間の経過を監視する。
そして一定時間が経過したらステップＦ２１１で前面表示パネル６Ｆのプレビュー表示を終了させる。
【０１１４】
図６で述べたように、ＣＰＵ３１はステップＦ１０３，Ｆ１０４の監視処理を行いながらステップＦ１０２の処理を繰り返す。従ってこの図１１の場合も、再生指示（Ｆ１０３）やレリーズ操作（Ｆ１０４）が検知されなければ、ＣＰＵ３１はステップＦ１０４からＦ２０１に戻りながら、ステップＦ２０１，Ｆ２１０，Ｆ２１１の処理を繰り返すことになる。
【０１１５】
結局、この図１１の処理によれば、プレビュー期間に前面表示パネル６Ｆでプレビュー表示が開始された後、直ぐにモニタリング期間の処理が行われ、主表示パネル６Ｍにおいてモニタリング画像表示が開始される。そして、前面表示パネル６Ｆでのプレビュー表示が一定時間行われたら、前面表示パネル６Ｆでのプレビュー表示が終了され、前面表示パネル６Ｆはオフとされることになる。
従って、撮像装置１のユーザはプレビュー表示を見ずに、直ぐにモニタリング画像を見ることができ、次の静止画記録の用意に移ることができるとともに、被写体人物は、一定時間、自分が撮された静止画像を確認できることになる。
【０１１６】
なお、この処理の変形例として、前面表示パネル６Ｆでプレビュー表示を終了した後は、図７のステップＦ２０２〜Ｆ２０５の処理を行って、条件に応じて前面表示パネル６Ｆでモニタリング画像表示を行うようにしても良い。
【０１１７】
次に図１２の処理例を説明する。この図１２は、両表示パネル６Ｍ、６Ｆでプレビュー表示を行うが、前面表示パネル６Ｆでのプレビュー表示を長く行うようにした例である。
なお図１２では、図６のステップＦ１０６のプレビュー処理に相当するのはステップＦ６２０，Ｆ６２１であり、ステップＦ１０１は図６のステップＦ１０１を、またステップＦ２０１〜Ｆ２０５及びＦ２２０は図６のステップＦ１０２の処理として記載している。
【０１１８】
上述した記録期間の処理を終えたら、ＣＰＵ３１は図６のステップＦ１０６として図１２のステップＦ６２０の処理を行う。即ちＣＰＵ３１は直前の記録期間の処理で記録を行った画像データについて主表示パネル６Ｍと前面表示パネル６Ｆの両方でプレビュー表示させる制御を行う。
【０１１９】
ＣＰＵ３１は、ステップＦ６２０でプレビュー表示を開始した時点からタイムカウントを行っている。そしてステップＦ６２１では、一定時間の経過を監視する。但しこの場合は、主表示パネル６Ｍでのプレビュー表示としての所定時間Ｔ１の経過を監視することになる。
所定時間Ｔ１を経過するまでは、プレビュー期間として、両表示パネル６Ｍ、６Ｆでプレビュー表示が継続される。
所定時間Ｔ１を経過したら、ＣＰＵ３１はステップＦ６２１からＦ１０１に進み、モニタリング期間の処理を再開する。なお、タイムカウントはそのまま継続する。
そしてＣＰＵ３１はステップＦ２０１で、主表示パネル６Ｍにおいてモニタリング画像表示を実行させる。
従って、主表示パネル６Ｍはプレビュー表示からモニタリング画像表示に切り替えられることになり、一方、前面表示パネル６Ｆではプレビュー表示が継続している状態となる。
【０１２０】
モニタリング期間に移行した後は、ＣＰＵ３１は、上記ステップＦ６２０のプレビュー表示を開始した時点からタイムカウントについて、ステップＦ２２０で一定時間の経過を監視する。この場合は、前面表示パネル６Ｆでのプレビュー表示としての所定時間Ｔ２（Ｔ１＜Ｔ２）の経過を監視することになる。
図６で述べたように、ＣＰＵ３１はステップＦ１０３，Ｆ１０４の監視処理を行いながらステップＦ１０２の処理を繰り返す。従ってこの図１２の場合も、再生指示（Ｆ１０３）やレリーズ操作（Ｆ１０４）が検知されなければ、ＣＰＵ３１はステップＦ１０４からＦ２０１に戻り、ステップＦ２２０、Ｆ２０２〜Ｆ２０５を繰り返すことになる。
従って、モニタリング期間に入っても、ステップＦ２２０で所定時間Ｔ２の経過と判断されるまでは、前面表示パネル６Ｆでプレビュー表示が続けられる。
その後、所定時間Ｔ２が経過した以降は、ステップＦ１０２の処理としてＣＰＵ３１は、図１２のステップＦ２０２〜Ｆ２０５の処理を行うことになる。
【０１２１】
つまりＣＰＵ３１はステップＦ２０２で、前面表示パネル６Ｆの表示についての視認可能性についての条件判定を行う。例えば被写体方向における人物の存在の判別処理、又は撮像モードの判別処理、又は内部検出情報についての判別処理、又は撮像画像信号の画像解析処理結果についての判別処理などの一部又は全部を行う。
そして、前面表示パネル６Ｆについての視認可能性があると判定されたら、ＣＰＵ３１は処理をステップＦ２０３からＦ２０４に進め、前面表示パネル６Ｆでモニタリング画像表示制御を行う。
一方、前面表示パネル６Ｆについての視認可能性がないと判定されたら、ＣＰＵ３１は処理をステップＦ２０３からＦ２０５に進め、前面表示パネル６Ｆをオフとする。
【０１２２】
結局、この図１２の処理によれば、プレビュー期間として、両表示パネル６Ｍ、６Ｆでプレビュー表示が行われる。
そして主表示パネル６Ｍでのプレビュー表示が先に終了され、モニタリング期間の処理に移行して、主表示パネル６Ｍではモニタリング画像表示に切り替えられる。
前面表示パネル６Ｆでは、モニタリング期間に至っても、或る程度の時間Ｔ２の経過まではプレビュー表示が継続される。そしてプレビュー表示が終了された後は、視認可能性に応じて、前面表示パネル６Ｆでのモニタリング画像表示が行われるか、或いは表示オフとされる。
従って、撮像装置１のユーザはプレビュー表示を短時間だけ確認した後、直ぐにモニタリング画像を見ることができ、次の静止画記録の用意に移ることができる。被写体人物は、比較的長い時間、自分が撮された静止画像を確認できることになる。
【０１２３】
なお、この処理の変形例として、前面表示パネル６Ｆでプレビュー表示を終了した後は、モニタリング期間中において、前面表示パネル６Ｆを強制的にオフとするようにしても良い。
【０１２４】
次に図１３の処理例を説明する。この図１３は、両表示パネル６Ｍ、６Ｆでプレビュー表示を行うが、プレビュー期間は、ユーザの操作で終了されるようにし、しかも前面表示パネル６Ｆでのプレビュー表示は、より長い時間、行うようにした例である。
なお図１３では、図６のステップＦ１０６のプレビュー処理に相当するのはステップＦ６３０，Ｆ６３１であり、ステップＦ１０１は図６のステップＦ１０１を、またステップＦ２０１〜Ｆ２０５及びＦ２２０は図６のステップＦ１０２の処理として記載している。
【０１２５】
上述した記録期間の処理を終えたら、ＣＰＵ３１は図６のステップＦ１０６として図１３のステップＦ６３０の処理を行う。即ちＣＰＵ３１は直前の記録期間の処理で記録を行った画像データについて主表示パネル６Ｍと前面表示パネル６Ｆの両方でプレビュー表示させる制御を行う。
【０１２６】
ＣＰＵ３１は、ステップＦ６３１で、ユーザ操作としてプレビュー表示の終了の指示の操作が行われたか否かを監視する。
プレビュー表示の終了操作が行われるまでは、プレビュー期間として、両表示パネル６Ｍ、６Ｆでプレビュー表示が継続される。
プレビュー表示の終了操作を検知したら、ＣＰＵ３１はステップＦ６３１からＦ１０１に進み、モニタリング期間の処理を再開する。そしてＣＰＵ３１はステップＦ２０１で、主表示パネル６Ｍにおいてモニタリング画像表示を実行させる。
従って、主表示パネル６Ｍはプレビュー表示からモニタリング画像表示に切り替えられることになり、一方、前面表示パネル６Ｆではプレビュー表示が継続している状態となる。
【０１２７】
モニタリング期間に移行した後は、ＣＰＵ３１は、上記ステップＦ６３０のプレビュー表示を開始した時点からタイムカウントについて、ステップＦ２２０で一定時間の経過を監視する。或いはタイムカウントはモニタリング期間に移行した時点で開始してもよい。
図６で述べたように、ＣＰＵ３１はステップＦ１０３，Ｆ１０４の監視処理を行いながらステップＦ１０２の処理を繰り返す。従ってこの図１３の場合も、再生指示（Ｆ１０３）やレリーズ操作（Ｆ１０４）が検知されなければ、ＣＰＵ３１はステップＦ１０４からＦ２０１に戻り、ステップＦ２２０、Ｆ２０２〜Ｆ２０５を繰り返すことになる。
従って、モニタリング期間に入っても、ステップＦ２２０で一定時間経過と判断されるまでは、前面表示パネル６Ｆでプレビュー表示が続けられる。
その後、一定時間が経過した以降は、ステップＦ１０２の処理としてＣＰＵ３１は、図１３のステップＦ２０２〜Ｆ２０５の処理を行うことになる。
【０１２８】
つまりＣＰＵ３１はステップＦ２０２で、前面表示パネル６Ｆの表示についての視認可能性についての条件判定を行う。例えば被写体方向における人物の存在の判別処理、又は撮像モードの判別処理、又は内部検出情報についての判別処理、又は撮像画像信号の画像解析処理結果についての判別処理などの一部又は全部を行う。
そして、前面表示パネル６Ｆについての視認可能性があると判定されたら、ＣＰＵ３１は処理をステップＦ２０３からＦ２０４に進め、前面表示パネル６Ｆでモニタリング画像表示制御を行う。
一方、前面表示パネル６Ｆについての視認可能性がないと判定されたら、ＣＰＵ３１は処理をステップＦ２０３からＦ２０５に進め、前面表示パネル６Ｆをオフとする。
【０１２９】
結局、この図１３の処理によれば、ユーザのプレビュー表示の終了操作が行われるまでは、プレビュー期間として、両表示パネル６Ｍ、６Ｆでプレビュー表示が行われる。
そしてユーザのプレビュー表示の終了操作がなされると、主表示パネル６Ｍでのプレビュー表示が終了され、モニタリング期間の処理に移行して、主表示パネル６Ｍではモニタリング画像表示に切り替えられる。
前面表示パネル６Ｆでは、モニタリング期間に至っても、一定時間の経過まではプレビュー表示が継続される。そしてプレビュー表示が終了された後は、視認可能性に応じて、前面表示パネル６Ｆでのモニタリング画像表示が行われるか、或いは表示オフとされる。
従って、撮像装置１のユーザはプレビュー表示を、任意の時間確認することができる。そして自己の意志でプレビュー表示を終了させることで、その時点からモニタリング画像を見ることができ、次の静止画記録の用意に移ることができる。被写体人物は、モニタリング期間に移行した後も、或る程度の時間、自分が撮された静止画像を確認できることになる。
【０１３０】
なお、この処理の変形例として、前面表示パネル６Ｆでプレビュー表示を終了した後は、モニタリング期間中において、前面表示パネル６Ｆを強制的にオフとするようにしても良い。
また、ユーザがいつまでもプレビュー表示の終了操作を行わないこともあり得るため、或る程度長時間、ステップＦ６３１で操作が検知されなければ、自動的にモニタリング期間に移行するような処理例も考えられる。
【０１３１】
＜４−５：再生期間の処理例＞
次に図１４、図１５で再生期間における処理例を説明する。即ち上記図６のステップＦ１０７としてのＣＰＵ３１の処理例である。
【０１３２】
図１４（ａ）は、再生期間において主表示パネル６Ｍのみで再生表示を行う例である。
ＣＰＵ３１は、図６のステップＦ１０７に進んだ場合、図１４（ａ）のステップＦ７０１で、前面表示パネル６Ｆをオフとする制御を行う。
そしてステップＦ７０２では、ユーザの操作に応じて記録媒体９０又はフラッシュＲＯＭ３３からのデータ読出制御を行い、読み出した画像データを主表示パネル６Ｍで再生表示させる。
つまり、再生表示に関しては前面表示パネル６Ｆを使用しない例である。
【０１３３】
図１４（ｂ）は、場合によっては前面表示パネル６Ｆでも再生表示を行うようにした例である。
ＣＰＵ３１は、図６のステップＦ１０７に進んだ場合、図１４（ｂ）のステップＦ７１０で、前面表示パネル６Ｆの表示についての視認可能性についての条件判定を行う。例えば被写体方向における人物の存在の判別処理、又は撮像モードの判別処理、又は内部検出情報についての判別処理、又は撮像画像信号の画像解析処理結果についての判別処理などの一部又は全部を行う。
【０１３４】
前面表示パネル６Ｆについての視認可能性があると判定されたら、ＣＰＵ３１は処理をステップＦ７１１からＦ７１３に進め、ユーザの操作に応じて記録媒体９０又はフラッシュＲＯＭ３３からのデータ読出制御を行う。そして主表示パネル６Ｍと前面表示パネル６Ｆの両方で再生表示を実行させる制御を行う。
一方、前面表示パネル６Ｆについての視認可能性がないと判定されたら、ＣＰＵ３１は処理をステップＦ７１１からＦ７１２に進め、ユーザの操作に応じて記録媒体９０又はフラッシュＲＯＭ３３からのデータ読出制御を行う。そして主表示パネル６Ｍで再生表示を実行させる制御を行う。前面表示パネル６Ｆについてはオフとする。これにより、再生画像が主表示パネル６Ｍのみで表示される。
【０１３５】
このように、前面表示パネル６Ｆでの表示が有効と推定される場合は、前面表示パネル６Ｆでも再生画像表示を行う。これによって前面側に居る人も、再生画像を楽しむことができる。
【０１３６】
図１５の処理は、再生期間には、両表示パネル６Ｍ、６Ｆで再生画像を表示するとともに、主表示パネル６Ｍと前面表示パネル６Ｆで表示が異なる場合が生ずる例である。
ＣＰＵ３１は、図６のステップＦ１０７に進んだ場合、図１５のステップＦ７２０で、主表示パネル６Ｍでの再生表示制御を行う。即ちＣＰＵ３１は、ユーザの操作に応じて記録媒体９０又はフラッシュＲＯＭ３３からのデータ読出制御を行い、読み出した画像データを主表示パネル６Ｍで再生表示させる。
そして、前面表示パネル６Ｆについては、主表示パネル６Ｍでの再生表示状態によって処理を分岐する。
【０１３７】
主表示パネル６Ｍでの再生画像表示としては、ユーザの操作に応じて表示態様が切り替えられる。例えば１画像ずつをユーザ操作に応じて切り替えていったり、或いはサムネイル画像としての一覧表示を行う場合もある。
ステップＦ７２１では、主表示パネル６Ｍにおいて、現在、再生画像のサムネイル一覧表示を行っているか、或いは１つの画像を表示しているか否かにより処理を分岐する。
【０１３８】
現在、主表示パネル６Ｍにおいて１枚の再生画像を表示させているのであれば、ＣＰＵ３１は処理をステップＦ７２２に進め、前面表示パネル６Ｆにも、その同じ再生画像データを表示させるように表示コントローラ７に指示する。この場合、主表示パネル６Ｍと前面表示パネル６Ｆの表示状態は図５（ｃ）のような状態となる。
一方、現在、主表示パネル６Ｍにおいてサムネイル一覧表示を実行させているのであれば、ＣＰＵ３１は処理をステップＦ７２３に進める。この場合、前面表示パネル６Ｆには、サムネイル一覧表示上でカーソルＫで選択中となっている再生画像データを表示させるように表示コントローラ７に指示する。この場合、主表示パネル６Ｍと前面表示パネル６Ｆの表示状態は図５（ｂ）のような状態となる。
る。
【０１３９】
このような処理を行うことで、前面側に人がいる場合は、前面表示パネル６Ｆ側でも同時に再生画像を見ることができる。従って撮像装置１のユーザと、前面側にいる人物が、再生画像を楽しむことができる。
また図５（ｂ）のように主表示パネル６Ｍでサムネイル一覧表示を行っている場合は、撮像装置１のユーザがカーソルＫを移動させていくことで、前面表示パネル６Ｆ側で、選択した再生画像を前面側に居る人物に見せることができる。
【０１４０】
なお図１５の処理の変形例として、例えば図１５のステップＦ７２１の前に図７のステップＦ２０２〜Ｆ２０５と同様の処理を行い、条件に応じて前面表示パネル６ＦでステップＦ７２２又はＦ７２３の再生表示を行うようにしても良い。
【０１４１】
＜４−６：動画記録期間の処理例＞
以上では、撮像装置１で静止画撮像を行う場合の各動作期間での処理を説明してきた。撮像装置１で動画記録を行う場合も想定されるため、ここでは動画記録の場合の処理例を説明する。
図１６は、動画記録を行う場合の各動作期間の遷移に係る処理例である。ステップＦ１０１〜Ｆ１０３，Ｆ１０７，Ｆ１０８は、図６と同様である。図６では静止画記録に関する動作処理としていた処理（Ｆ１０４〜Ｆ１０６）を、図１６では動画記録に関する処理としてステップＦ１５０〜Ｆ１５３で示している。
【０１４２】
モニタリング期間は動画記録を開始するまでのスタンバイ状態の期間となるが、ステップＦ１０２として、モニタリング画像表示が行われる。この場合、例えば図７（ａ）又は図７（ｂ）のような処理が行われる。
【０１４３】
モニタリング期間において、ユーザが記録スタートの操作を行うことに応じて、ＣＰＵ３１はステップＦ１５０からＦ１５１に進み、動画記録処理及び記録中の表示制御を行うことになる。このステップＦ１５１の処理は、ユーザが記録停止の操作を行うか、或いは記録媒体９０等の容量フル状態で記録できなくなるかなどとして、記録停止と判断されるまで継続される。
ユーザ操作等により記録停止となったら、ＣＰＵ３１はステップＦ１５２からＦ１５３に進み、動画記録の終了処理を行って。ステップＦ１０１に戻り、モニタリング期間の動作を再開させる。
【０１４４】
ここで、ステップＦ１５１での処理例を図１７（ａ）（ｂ）（ｃ）に示す。
図１７（ａ）は、動画記録中の画像表示を、状況に応じて前面表示パネル６Ｆでも行うようにする例である。
ＣＰＵ３１は、図１６のステップＦ１５１に進んだ場合、図１７（ａ）のステップＦ８００で動画記録処理を行う。即ち撮像系２，カメラＤＳＰ４で得られる各フレームの撮像画像データについて、所定の圧縮エンコード処理等を施させ、記録媒体９０やフラッシュＲＯＭ３３に動画として記録させる処理を行う。
【０１４５】
この動画記録処理の際に、ステップＦ８０１では、ＣＰＵ３１は主表示パネル６Ｍでの動画表示制御を行う。つまり記録中のモニタ画像としての動画表示を主表示パネル６Ｍにおいて実行させる。
【０１４６】
前面表示パネル６ＦについてはステップＦ８０２〜Ｆ８０５を行う。
ステップＦ８０２では、前面表示パネル６Ｆの表示についての視認可能性についての条件判定を行う。例えば被写体方向における人物の存在の判別処理、又は撮像モードの判別処理、又は内部検出情報についての判別処理、又は撮像画像信号の画像解析処理結果についての判別処理などの一部又は全部を行う。
前面表示パネル６Ｆについての視認可能性があると判定されたら、ＣＰＵ３１は処理をステップＦ８０３からＦ８０４に進め、前面表示パネル６Ｆで記録中のモニタ画像としての動画表示を実行させる。
つまりこの場合、主表示パネル６Ｍと前面表示パネル６Ｆの両方で動画モニタ表示が実行されることになる。
一方、前面表示パネル６Ｆについての視認可能性がないと判定されたら、ＣＰＵ３１は処理をステップＦ８０３からＦ８０５に進め、前面表示パネル６Ｆはオフとする。これにより、動画モニタ表示が主表示パネル６Ｍのみで表示される。
【０１４７】
このように、前面表示パネル６Ｆでの表示が有効と推定される場合は、前面表示パネル６Ｆでも記録中の動画表示を行う。これによって前面側に居る人も、記録されている動画像のモニタ画像を見ることができる。
【０１４８】
図１７（ｂ）は、両表示パネル６Ｍ、６Ｆで動画記録中のモニタ画像表示を行う例である。
ＣＰＵ３１は、図１６のステップＦ１５１に進んだ場合、図１７（ｂ）のステップＦ８１０で動画記録処理を行う。即ち撮像系２，カメラＤＳＰ４で得られる各フレームの撮像画像データについて、所定の圧縮エンコード処理等を施させ、記録媒体９０やフラッシュＲＯＭ３３に動画として記録させる処理を行う。
そしてこの動画記録処理の際に、ステップＦ８１１で、ＣＰＵ３１は主表示パネル６Ｍ及び前面表示パネル６Ｆでの動画表示制御を行う。つまり記録中のモニタ画像としての動画表示を両表示パネル６Ｍ、６Ｆにおいて実行させる。
【０１４９】
図１７（ｃ）は、主表示パネル６Ｍのみで動画記録中のモニタ画像表示を行う例である。
ＣＰＵ３１は、図１６のステップＦ１５１に進んだ場合、図１７（ｃ）のステップＦ８２０で動画記録処理を行う。即ち撮像系２，カメラＤＳＰ４で得られる各フレームの撮像画像データについて、所定の圧縮エンコード処理等を施させ、記録媒体９０やフラッシュＲＯＭ３３に動画として記録させる処理を行う。
そしてＣＰＵ３１はステップＦ８２１では、前面表示パネル６Ｆをオフとする制御を行い、またステップＦ８２２で、主表示パネル６Ｍでの動画表示制御を行う。つまり記録中のモニタ画像としての動画表示については前面表示パネル６Ｆは用いられないようにしたものである。
【０１５０】
例えば動画記録を行う場合としては、以上の図１７（ａ）（ｂ）（ｃ）のような表示制御例が考えられる。
【０１５１】
［５．表示状態の遷移例］
以上、モニタリング期間、静止画記録期間、プレビュー期間、再生期間、及び動画記録期間についての、主表示パネル６Ｍ及び前面表示パネル６Ｆでの表示に関する制御例を説明してきた。
本例の撮像装置１では、これら各動作期間が遷移しながら、一連の静止画撮像動作、再生動作、動画記録動作が行われる。そして、各動作期間において、上述した処理例の１つを採用することで、両表示パネル６Ｍ、６Ｆで有効な表示が実現される。
【０１５２】
図１８，図１９では、例＃１〜＃８として、動作期間の推移に伴った、両表示パネル６Ｍ、６Ｆでの表示状態を例示した。
例＃１〜＃５は、モニタリング期間→静止画記録期間→プレビュー期間→モニタリング期間→再生期間と遷移した場合の表示状態の例を示している。つまりモニタリング期間→静止画記録期間→プレビュー期間として一枚の静止画記録が行われ、その後モニタリング期間中にユーザ操作等により再生期間に移行したような場合である。
【０１５３】
まず図１８に示す例＃１は、モニタリング期間の処理として図７（ａ）の処理、静止画記録期間の処理として図８（ａ）の処理、プレビュー期間の処理として図１０の処理、再生期間の処理として図１４（ａ）の処理を採用した場合である。
主表示パネル６Ｍについては、モニタリング期間では常にモニタリング画像表示が行われる。そして静止画記録期間としての一瞬は表示オフとなり、プレビュー期間には所定時間、プレビュー表示が行われる。また再生期間では、再生表示が行われる。
前面表示パネル６Ｆについては、モニタリング期間では、視認可能性があると推定される場合にモニタリング画像表示が行われるが、視認可能性が無いと推定される場合は表示オフとされ、無駄な表示は行わないようにしている。静止画記録期間としての一瞬は表示オフとなる。プレビュー期間には視認可能性があれば所定時間、プレビュー表示が行われるが、視認可能性がなければプレビュー表示は行われない。また再生期間では、再生表示は行われない。
即ち、この例＃１は、前面表示パネル６Ｆについては、視認可能性の条件に応じてモニタリング画像表示やプレビュー表示を行うようにした例である。
【０１５４】
例＃２は、モニタリング期間の処理として図７（ｂ）の処理、静止画記録期間の処理として図８（ｂ）の処理、プレビュー期間の処理として図１０の処理、再生期間の処理として図１４（ｂ）の処理を採用した場合である。
主表示パネル６Ｍについては、モニタリング期間では常にモニタリング画像表示が行われる。静止画記録期間からプレビュー期間にかけては記録した静止画像の表示が行われる。また再生期間では、再生表示が行われる。
前面表示パネル６Ｆについては、モニタリング期間では表示オフとされる。静止画記録期間も表示オフのままとなる。プレビュー期間には視認可能性があれば所定時間、プレビュー表示が行われるが、視認可能性がなければプレビュー表示は行われない。また再生期間では、視認可能性の有無に応じて、再生表示は行われるか、或いは表示オフとされる。
即ち、この例＃２は、前面表示パネル６Ｆでは、記録した静止画像や再生画像について、視認可能性の条件に応じて表示を行うようにした例である。
【０１５５】
例＃３は、モニタリング期間の処理として図１１のＦ１０２の処理、静止画記録期間の処理として図８（ｃ）の処理、プレビュー期間の処理として図１１のＦ１０６の処理、再生期間の処理として図１５の処理を採用した場合である。
主表示パネル６Ｍについては、モニタリング期間では常にモニタリング画像表示が行われる。静止画記録期間とプレビュー期間では表示は行われないが、静止画記録期間とプレビュー期間はユーザから見て一瞬となり、即座にモニタリング期間に移行してモニタリング画像表示が行われる。また再生期間では、１枚表示やサムネイル一覧表示などの形式で再生表示が行われる。
前面表示パネル６Ｆについては、モニタリング期間では表示オフとされる。静止画記録期間では記録対象の静止画像が表示され、その画像がプレビュー期間も継続される。この場合、モニタリング期間に移行してもプレビュー表示は継続される。一定時間のプレビュー表示を終えたら、表示オフとされる。また再生期間では、主表示パネル６Ｍと同様の一枚画像、又は主表示パネル６Ｍがサムネイル一覧画像の場合の選択中の画像の一枚表示が行われる。
即ち、この例＃３は、主表示パネル６Ｍでは、記録画像のプレビューは行わないようにし、前面表示パネル６Ｆでは、モニタリング画像表示は行わずに、記録した静止画像（プレビュー画像）や再生画像について表示を行うようにした例である。
【０１５６】
例＃４は、モニタリング期間の処理として図１２のＦ１０２の処理、静止画記録期間の処理として図８（ｄ）の処理、プレビュー期間の処理として図１２のＦ１０６の処理、再生期間の処理として図１４（ｂ）の処理を採用した場合である。
主表示パネル６Ｍについては、モニタリング期間では常にモニタリング画像表示が行われる。静止画記録期間からプレビュー期間として記録した静止画像の表示が行われる。プレビュー期間が終了するとモニタリング期間に移行してモニタリング画像表示が行われる。また再生期間では再生表示が行われる。
前面表示パネル６Ｆについては、モニタリング期間では視認可能性の有無に応じて、モニタリング画像表示が行われるか、或いは表示オフとされる。静止画記録期間からプレビュー期間として、記録した静止画表示が行われる。この場合、主表示パネル６Ｍより長い時間、プレビュー表示が行われる。つまりモニタリング期間に移行しても、或る程度の時間プレビュー表示が継続される。プレビュー表示を終えた後は、視認可能性の有無に応じて、モニタリング画像表示が行われるか、或いは表示オフとされる。また再生期間でも、視認可能性の有無に応じて、再生表示が行われるか、或いは表示オフとされる。
この例＃４は、前面表示パネル６Ｆでは、なるべく長くプレビュー表示が実行されるようにしつつ、モニタリング画像表示や再生表示については視認可能性の条件に応じたものとする例である。
【０１５７】
図１９に示す例＃５は、モニタリング期間の処理として図１３のＦ１０２の処理、静止画記録期間の処理として図９の処理、プレビュー期間の処理として図１３のＦ１０６の処理、再生期間の処理として図１５の処理を採用した場合である。
主表示パネル６Ｍについては、モニタリング期間では常にモニタリング画像表示が行われる。静止画記録期間における半押しの間はモニタリング画像表示を継続する。レリーズ処理時は表示オフとする。プレビュー期間はユーザのプレビュー表示の終了操作があるまでプレビュー表示を行う。また再生期間では、１枚表示やサムネイル一覧表示などの形式で再生表示が行われる。
前面表示パネル６Ｆについては、モニタリング期間では視認可能性の有無に応じて、モニタリング画像表示が行われるか、或いは表示オフとされる。静止画記録期間における半押しの間も、条件に応じた表示動作が継続される。レリーズ処理時は表示オフとする。プレビュー期間はプレビュー表示を行うが、モニタリング期間に移行してもプレビュー表示は継続される。一定時間のプレビュー表示を終えたら、視認可能性の有無に応じたモニタリング画像表示の状態に戻る。また再生期間では、主表示パネル６Ｍと同様の一枚画像、又は主表示パネル６Ｍがサムネイル一覧画像の場合の選択中の画像の一枚表示が行われる。
即ち、この例＃５は、主表示パネル６Ｍでは、記録画像のプレビューはユーザの操作によって終了されるが、プレビュー期間を終了してモニタリング期間に移行しても、或る程度の時間、前面表示パネル６Ｆではプレビュー表示を継続するようにした例である。
【０１５８】
例＃６〜＃８は、モニタリング期間→動画記録期間→モニタリング期間→再生期間と遷移した場合の表示状態の例を示している。つまりモニタリング期間→動画記録期間として動画記録が行われ、その後モニタリング期間中にユーザ操作等により再生期間に移行したような場合である。
【０１５９】
例＃６は、モニタリング期間の処理として図７（ａ）の処理、動画記録期間の処理として図１７（ａ）の処理、再生期間の処理として図１４（ｂ）の処理を採用した場合である。
主表示パネル６Ｍについては、モニタリング期間では常にモニタリング画像表示が行われる。また動画記録期間も記録中のモニタ画像表示が行われる。また再生期間では、再生表示が行われる。
前面表示パネル６Ｆについては、モニタリング期間では、視認可能性の有無に応じて、モニタリング画像表示が行われるか、或いは表示オフとされる。動画記録期間も、視認可能性の有無に応じて、記録中のモニタ表示が行われるか、或いは表示オフとされる。また再生期間でも、視認可能性の有無に応じて、再生表示が行われるか、或いは表示オフとされる。
即ち、この例＃６は、前面表示パネル６Ｆについては、常に視認可能性の条件に応じてモニタリング画像表示、記録モニタ表示、再生表示を行うようにした例である。
【０１６０】
例＃７は、モニタリング期間の処理として図７（ａ）の処理、動画記録期間の処理として図１７（ｂ）の処理、再生期間の処理として図１４（ｂ）の処理を採用した場合である。動画記録期間以外は例＃６と同様である。
主表示パネル６Ｍについては、動画記録期間も記録中のモニタ画像表示が行われる。
前面表示パネル６Ｆでも動画記録期間は常に記録中のモニタ表示が行われる。
即ち、この例＃７は、動画記録中は常に前面表示パネル６Ｆでも記録モニタ表示を行うようにした例である。
【０１６１】
例＃８は、モニタリング期間の処理として図７（ａ）の処理、動画記録期間の処理として図１７（ｃ）の処理、再生期間の処理として図１４（ｂ）の処理を採用した場合である。動画記録期間以外は例＃６と同様である。
主表示パネル６Ｍについては、動画記録期間も記録中のモニタ画像表示が行われる。
前面表示パネル６Ｆでは動画記録期間は表示オフとされる。
即ち、この例＃８は、動画記録中は前面表示パネル６Ｆで記録モニタ表示を行なわないようにした例である。
【０１６２】
以上、例＃１〜＃８として、動作期間遷移に伴う表示状態の変遷の例を述べたが、もちろんこれら各例以外にも、多様な表示処理例が考えられる。
図６〜図１７として説明してきた処理において、モニタリング期間の処理としては図７（ａ）（ｂ）、図１１のＦ１０２、図１２のＦ１０２、図１３のＦ１０２のいずれか（又はそれらの変形例）を採用できる。
静止画記録期間の処理としては図８（ａ）（ｂ）（ｃ）（ｄ）、図９のいずれか（又はそれらの変形例）を採用できる。
プレビュー期間の処理としては図１０、図１１のＦ１０６、図１２のＦ１０６、図１３のＦ１０６のいずれか（又はそれらの変形例）を採用できる。
再生期間の処理としては図１４（ａ）（ｂ）、図１５のいずれか（又はそれらの変形例）を採用できる。
動画記録期間の処理としては図１７（ａ）（ｂ）（ｃ）のいずれか（又はそれらの変形例）を採用できる。
つまりこれらの処理例を組み合わせることで、動作遷移による表示状態の変遷の例は非常に多様に想定されることになる。
【０１６３】
そして本実施の形態の撮像装置１では、動作の過程で遷移する各種動作期間毎に、上記の例＃１〜＃８のように、主表示パネル６Ｍと前面表示パネル６Ｆの表示状態を制御する。
例えばモニタリング期間、静止画の記録期間、プレビュー期間、再生期間、動画記録期間などを遷移する際に、それぞれ、表示の目的や表示を見る人の存在などに応じて表示状態を制御する。
特には、少なくとも一以上の動作期間において主表示パネル６Ｍと前面表示パネル６Ｆが異なる表示内容となり得る表示制御を行う。異なる表示内容とは、異なる画像が表示されている状態や、一方が表示オフとされていることをいい、異なる表示内容になり得るというのは、例えば条件判断の結果によっては異なる表示内容となることをいう。
例えば例＃１では、モニタリング期間、プレビュー期間は、主表示パネル６Ｍと前面表示パネル６Ｆが異なる表示内容となり得る。また再生期間は異なる表示内容となる。他の例＃２〜＃８も、少なくとも一以上の動作期間において主表示パネル６Ｍと前面表示パネル６Ｆが異なる表示内容となり得る。
このように制御することで、各動作期間毎に、各表示パネル部で適切な表示、有用な表示、無駄な表示の回避等を実現する。
【０１６４】
［６．変形例］
以上、実施の形態としての各種の処理例や変形例を説明してきたが、本発明の実施の形態としてはさらに多様な変形例が考えられる。
【０１６５】
上記例では、前面表示パネル６Ｆについて、例えば視認可能性の条件を満たさない場合は表示をオフするとした。しかしながら、そのような場合に、表示オフとはせずに、前面表示パネル６Ｆを低輝度表示状態としたり、再生画像やプリセット画像を表示するという例も考えられる。
【０１６６】
例えば図７（ａ）の処理においてステップＦ２０５に進んだ場合に、前面表示パネル６Ｆにおいて表示輝度を低下させた状態で、モニタリング画像を表示するようにする。例えば前面表示パネル６Ｆとして例えば有機ＥＬパネルのような自発光素子による表示デバイスを用いる場合、表示輝度を下げることは、消費電力削減に有用である。従って、前方に人がいない、或いは視認性が悪く表示を見ることのできる状況ではないなど視認可能性の条件を満たしていないときには、表示輝度を下げることで、消費電力の削減を図る。
【０１６７】
また例えば図７（ａ）の処理においてステップＦ２０５に進んだ場合、プリセット画像や再生画像など、前面表示パネル６Ｆにモニタリング画像とは無関係な画像を表示させる。
例えば前方に被写体となっている人がいない、或いは視認性が悪く表示を見ることのできる状況ではないと推定されるときであっても、そばに人がいる状況は多々ある。また人の位置によっては前面表示パネル６Ｆの表示を見やすい状況である場合もある。
それらの周囲に居る人にとっては、前面表示パネル６Ｆでの表示が撮像装置１の外観デザインの一部として認識され、興味深いものとなる。
またこのような場合に前面表示パネル６Ｆに表示させる画像をユーザが選択できるようにすることで、ユーザが自分の撮像装置１の外観を自由に設定できるものとなり、カメラ使用上の楽しみを広げることができる。
【０１６８】
これらの処理は図８（ａ）（ｂ）で前面表示パネル６Ｆをオフとする場合の処理の変形例、図９のステップＦ５０７，Ｆ５０８で前面表示パネル６Ｆをオフとする場合の処理の変形例としても考えられる。同様に図１０のステップＦ６０３、図１１のステップＦ２１１、図１２のステップＦ２０５、図１３のステップＦ２０５、図１４（ａ）のステップＦ７０１、図１４（ｂ）のステップＦ７１３、図１７（ａ）のステップＦ８０５、図１７（ｃ）のステップＦ８２１でも適用できる。
【０１６９】
また、例えば前面表示パネル６Ｆで通常のモニタリング画像表示やプレビュー表示等を行わない場合において、前面表示パネル６Ｆの表示をオフとするか、低輝度表示とするか、再生画像やプリセット画像を表示するかということをユーザが選択できるようにしてもよい。
【０１７０】
本例では撮像装置１として、一般にデジタルスチルカメラと呼ばれる機器を例に挙げたが、例えばビデオカメラ、撮像機能を有する携帯電話機、ＰＤＡ（Personal Digital Assistant）など、多様な機器において本発明は適用できる。
【符号の説明】
【０１７１】
１  撮像装置、２  撮像系、３  制御系、４  カメラＤＳＰ、５  操作部、６Ｍ  主表示パネル、６Ｆ  前面表示パネル、７  表示コントローラ、８  外部インターフェース、９  ＳＤＲＡＭ、１０  媒体インターフェース、１３  ブレ検出部、１４  発光駆動部、１５  フラッシュ発光部、１７  レンズ駆動ドライバ、１８  絞り／ＮＤ駆動ドライバ、１９  撮像素子ドライバ２１  レンズ機構部、２２  絞り／ＮＤフィルタ機構、２３  撮像素子部、２４  アナログ信号処理部、２５  Ａ／Ｄ変換部、２８  タイミング生成回路、２６  レンズ駆動部、２７  レンズ位置検出部、３１  ＣＰＵ、３２  ＲＡＭ、３３  フラッシュＲＯＭ、３４  時計回路、４１  画像信号処理部，４２  圧縮／解凍処理部、４３  ＳＤＲＡＭコントローラ、４４  画像解析部、５０  近接センサ
【図１】
2011091869.tif 000003
【図２】
2011091869.tif 000004
【図３】
2011091869.tif 000005
【図４】
2011091869.tif 000006
【図５】
2011091869.tif 000007
【図６】
2011091869.tif 000008
【図７】
2011091869.tif 000009
【図８】
2011091869.tif 000010
【図９】
2011091869.tif 000011
【図１０】
2011091869.tif 000012
【図１１】
2011091869.tif 000013
【図１２】
2011091869.tif 000014
【図１３】
2011091869.tif 000015
【図１４】
2011091869.tif 000016
【図１５】
2011091869.tif 000017
【図１６】
2011091869.tif 000018
【図１７】
2011091869.tif 000019
【図１８】
2011091869.tif 000020
【図１９】
2011091869.tif 000021
【手続補正書】
【提出日】平成23年2月9日(2011.2.9)
【手続補正１】
【補正対象書類名】特許請求の範囲
【補正対象項目名】全文
【補正方法】変更
【補正の内容】
【特許請求の範囲】
【請求項１】
装置筐体上で使用者方向に向かって表示を行う第１表示パネル部と、
装置筐体上で上記使用者方向以外の他の方向に向かって表示を行う第２表示パネル部と、
上記第１表示パネル部でサムネイル画像の一覧表示が行われている場合、上記第２表示パネル部には上記一覧表示のうち選択中となっている再生画像データを表示させる制御部と、
を備えた表示装置。
【請求項２】
上記第１表示パネル部で１枚の再生画像データの表示が行われている場合、上記制御部は、上記第２表示パネル部に当該１枚の再生画像データを表示させる請求項１に記載の表示装置。
【請求項３】
上記制御部は、視認可能性の条件の判別結果に基づいて、上記第２表示パネル部における再生画像データの表示の実行／不実行を制御する請求項２に記載の表示装置。
【請求項４】
装置筐体上で使用者方向に向かって表示を行う第１表示パネル部と、装置筐体上で上記使用者方向以外の他の方向に向かって表示を行う第２表示パネル部とを備えた表示装置の表示方法として、
上記第１表示パネル部でサムネイル画像の一覧表示が行われている場合、上記第２表示パネル部には上記一覧表示のうち選択中となっている再生画像データを表示させる表示方法。
【手続補正３】
【補正対象書類名】明細書
【補正対象項目名】０００１
【補正方法】変更
【補正の内容】
【０００１】
本発明は、表示装置、表示方法に関し、特に筐体上に複数の表示パネル部を設けた表示装置の表示動作に関するものである。
【手続補正４】
【補正対象書類名】明細書
【補正対象項目名】０００４
【補正方法】変更
【補正の内容】
【０００４】
ここで本出願人は、装置筐体上に２つの表示パネル部を設けることを新規に考える。
即ち従来と同様、撮像装置筐体上で使用者（撮像者）方向に向かって表示を行うようにされた表示パネル部を設ける他、装置筐体上の前面側（被写体側となる面）などに、被写体方向に向かって表示を行うようにされた表示パネル部を設ける。
このように２つの表示パネル部を設けるようにした場合には、撮像に関する動作状態や状況に応じて、各表示パネルで適切な表示、即ち、２つの表示パネルを効果的に利用する表示や、表示を見る人にとって有用な表示、さらには無駄な消費電力を回避するような表示動作を実現することが求められる。
そこで本発明では、２つの表示パネル部を有する表示装置において適切な表示を実現することを目的とする。
【手続補正５】
【補正対象書類名】明細書
【補正対象項目名】０００５
【補正方法】変更
【補正の内容】
【０００５】
本発明の表示装置は、装置筐体上で使用者方向に向かって表示を行う第１表示パネル部と、装置筐体上で上記使用者方向以外の他の方向に向かって表示を行う第２表示パネル部と、上記第１表示パネル部でサムネイル画像の一覧表示が行われている場合、上記第２表示パネル部には上記一覧表示のうち選択中となっている再生画像データを表示させる制御部とを備える。
【手続補正６】
【補正対象書類名】明細書
【補正対象項目名】０００６
【補正方法】変更
【補正の内容】
【０００６】
例えば上記制御部は、上記第１表示パネル部で１枚の再生画像データの表示が行われている場合、上記制御部は、上記第２表示パネル部に当該１枚の再生画像データを表示させる。
【手続補正７】
【補正対象書類名】明細書
【補正対象項目名】０００７
【補正方法】変更
【補正の内容】
【０００７】
また上記制御部は、視認可能性の条件の判別結果に基づいて、上記第２表示パネル部における再生画像データの表示の実行／不実行を制御する。
この場合、上記視認可能性条件の判別処理は、被写体方向における人物の存在の判別処理、又は内部検出情報についての判別処理、又は撮像画像信号の画像解析処理結果についての判別処理であるとする。
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】変更
【補正の内容】
【０００９】
例えば上記制御部は、記録媒体に記録された画像データを再生表示する再生期間において、上記再生表示を、上記第１表示パネル部と上記第２表示パネル部のうちの一方のみで実行させるように制御する。
或いは、上記制御部は、上記再生期間において、上記第１表示パネル部において上記再生表示を実行させるとともに、上記第２表示パネルに対する視認可能性条件の判別処理結果に基づいて、上記第２表示パネル部における上記再生表示の実行／不実行を制御する。
或いは、上記制御部は、上記再生期間において、上記第１表示パネル部において上記再生表示としての一覧表示及び一画像表示を選択的に実行させるとともに、上記第２表示パネルにおいては、一画像表示のみを実行させるように制御する。
【手続補正１０】
【補正対象書類名】明細書
【補正対象項目名】００１０
【補正方法】変更
【補正の内容】
【００１０】
本発明の表示方法は、装置筐体上で使用者方向に向かって表示を行う第１表示パネル部と、装置筐体上で上記使用者方向以外の他の方向に向かって表示を行う第２表示パネル部とを備えた表示装置の表示方法として、上記第１表示パネル部でサムネイル画像の一覧表示が行われている場合、上記第２表示パネル部には上記一覧表示のうち選択中となっている再生画像データを表示させる。
【手続補正１１】
【補正対象書類名】明細書
【補正対象項目名】００１１
【補正方法】変更
【補正の内容】
【００１１】
即ち本発明では、以上のような制御により、再生期間に、各表示パネル部で適切な表示、有用な表示、無駄な表示の回避等を実現する。
例えば表示の目的や表示を見る人の存在などに応じて表示状態を制御する。
【手続補正１２】
【補正対象書類名】明細書
【補正対象項目名】００１２
【補正方法】変更
【補正の内容】
【００１２】
例えば第２表示パネル部については、再生期間に上記使用者方向以外の他の方向に人物が存在する可能性を判定して表示制御を行うようにする。
例えば第２表示パネル部の表示は、被写体側など上記使用者方向以外の他の方向に人物が居るときのみ有用となる。第２表示パネル部の表示を見る人物は存在しないと考えられるときに第２表示パネル部にモニタリング画像を表示しても意味がないことになる。そこで第２表示パネル部をオフにして省電を図ることが適切である。
このように、第１、第２表示パネル部の表示動作を適切に制御することで、２つの表示パネル部による有用な表示や娯楽性の高い表示、或いは２つの表示パネル部を装備してもむやみに消費電力が高くならないようにすること等を実現できる。
【手続補正１３】
【補正対象書類名】明細書
【補正対象項目名】００１３
【補正方法】変更
【補正の内容】
【００１３】
本発明によれば、表示装置において、使用者側と他の方向側でそれぞれ視認できる２つの表示パネル部を設けるようにするとともに、再生期間に各表示パネルで適切な表示を行うことができる。即ち２つの表示パネル部を有効利用した有用な表示、娯楽性の高い表示、さらには無駄な表示の回避などを実現でき、新規で有用な表示装置を提供できる。
特に使用者方向以外の他の方向の人物の存在の有無や表示についての視認性の良否を推定して第２表示パネル部の表示動作を制御することも、上記効果を促進する。